(57)【要約】【課題】  遊技機において、特別入賞領域と一般入賞領域とを有する変動入賞装置に遊技球が入賞した場合に特別入賞領域への遊技球の誘導を多彩かつ興趣の高いものとする。【解決手段】  変動入賞装置３内の凹室３２は、その下部に流入した遊技球が転動する床板部材３３ｃが配置され、その上部に特別入賞領域３２ｂと一般入賞領域３２ａとが配置されている。凹室３２には、床板部材３３ｃ上の遊技球を上部の特別入賞領域３２ｂに揚送する揚送装置８が配置されている。揚送装置８は、遊技球を吸着する磁石８３を備えた第１の回転ドラム８１と、その外側を覆う第２の回転ドラム８２とを有する。磁石８３は、間に第２の回転ドラム８２を介在させて遊技球を吸着する。揚送装置８は、第２の回転ドラム８２の表面上で遊技球が吸着された状態のまま、第２の回転ドラム８２を第１の回転ドラム８１と異なる回転態様で回転させながら遊技球を揚送する。【選択図】図５
2005087262.tif 000002
【特許請求の範囲】
【請求項１】
一般入賞領域および特別入賞領域を有する凹室を形成すると共に開状態と閉状態とに変換可能な可動部材を備えた変動入賞装置を備え、
始動条件の成立に基づき前記変動入賞装置の可動部材を所定態様で前記開状態に変換する補助遊技を実行し、該補助遊技の結果として前記変動入賞装置へ受け入れられた遊技球が前記特別入賞領域へ入賞した場合に該変動入賞装置の可動部材を前記所定態様よりも有利な特定態様で前記開状態に変換する特別遊技を実行し、当該特別遊技の実行により該変動入賞装置へ受け入れられた遊技球が該特別入賞領域へ入賞した場合には該特別遊技を所定の上限数の範囲内で繰り返して実行するようにした遊技機において、
前記変動入賞装置は、
前記凹室の下部に前記可動部材の開状態への変換により受け入れられた遊技球が転動する転動部を配設する一方、前記凹室の上部に前記特別入賞領域を配設し、前記転動部の遊技球を前記特別入賞領域に揚送可能な揚送手段を備え、
前記揚送手段は、
左右方向に設定された回転軸を中心に回転可能に構成され、前記転動部の遊技球を吸着する吸着手段を有すると共に、該吸着した遊技球を回転動作により前記特別入賞領域に揚送可能な第１の回転ドラムと、
左右方向に設定された回転軸を中心に回転可能に構成され、表面に所定の表示を付すと共に、前記第１の回転ドラムの外面所要範囲を覆う状態で、当該第１の回転ドラムの外側に配設された第２の回転ドラムと、
を備え、前記第１の回転ドラムの吸着手段により前記第２の回転ドラムの表面上で遊技球を吸着可能に構成すると共に、前記第１の回転ドラムと第２の回転ドラムとを異なる回転態様で回転可能に構成し、
前記第２の回転ドラムの表面上で遊技球が吸着された状態のまま、当該第２の回転ドラムを該第１の回転ドラムと異なる回転態様で回転させながら当該遊技球を揚送可能に構成したことを特徴とする遊技機。
【請求項２】
前記揚送手段は、
一方端側が開放した円筒形に形成された第２の回転ドラムの内部に、前記吸着手段としての磁石を外周面に配設した第１の回転ドラムを挿入すると共に、当該揚送手段の左右各々に前記第１及び第２の回転ドラムを回転させる電気的駆動源を配設することで、当該第１の回転ドラム及び第２の回転ドラムを独立して回転可能に構成したことを特徴とする請求項１に記載の遊技機。
【請求項３】
前記第２の回転ドラムの表面に、吸着された遊技球の吸着状態を解除可能な突起部を形成したことを特徴とする請求項１または２に記載の遊技機。
【請求項４】
前記凹室の上部には、前記特別入賞領域と一般入賞領域が左右方向に隣設されており、
前記第１の回転ドラムの吸着手段を、左右方向に延設することで、吸着されている遊技球が左右方向に移動可能に構成し、
前記第２の回転ドラムの表面に、吸着されている遊技球の左右方向の位置を移動可能な位置移動突起部を形成したことを特徴とする請求項１または２に記載の遊技機。
【請求項５】
前記吸着手段は、磁石により構成され、
前記第２の回転ドラムには、当該第２の回転ドラム外側の遊技球に対する磁力の強さを異ならせた複数の領域を形成したことを特徴とする請求項１〜４の何れか１項に記載の遊技機。
【発明の詳細な説明】
【技術分野】
【０００１】
本発明は一般入賞領域および特別入賞領域を有する凹室を形成すると共に開状態と閉状態とに変換可能な可動部材を備えた変動入賞装置を備え、始動条件の成立に基づき前記変動入賞装置を所定態様で前記開状態に変換する補助遊技を実行する遊技機に関する。
【背景技術】
【０００２】
従来の遊技機、例えば所謂羽根物と呼ばれるパチンコ遊技機では、可動部材を有すると共に内部に一般入賞領域と特別入賞領域を形成した変動入賞装置と、始動入賞口として第１始動入賞口と第２始動入賞口を設け、第１始動入賞口へ遊技球が入賞すると変動入賞装置の可動部材を１回開放動作（例えば、０．５秒×１回の開放動作）させる補助遊技（始動遊技）を行い、第２始動入賞口へ遊技球が入賞すると該可動部材を２回開放動作（例えば、０．６秒×２回の開放動作）させる補助遊技を行ようにしている。そして、該補助遊技の発生により変動入賞装置内に受け入れられた遊技球が内部の特別入賞領域へ入賞すると特別遊技が発生して、当該変動入賞装置の可動部材が補助遊技の時よりも多数回開放動作（例えば、０．６秒×最大１８回の開放動作）することで、遊技者は多数の遊技球を獲得できるようになっている。
【０００３】
また、最近のパチンコ遊技機においては、変動入賞装置内部に流入した遊技球が単に自然流下により特別入賞領域に入賞するのではなく、変動入賞装置内部に可動式の誘導部材を配設して、この誘導部材の作用により変動入賞装置内部に流入した遊技球が特別入賞領域に入賞するまでの流入過程に変化性を持たせることで、より興趣性の高い入賞態様となるように構成したものが多い。
【０００４】
例えば、変動入賞装置内部に、永久磁石を備えた回転ドラムを配設し、変動入賞装置内部に流入した遊技球を永久磁石で吸着して上部に配設された特別入賞領域まで回転ドラムの回転動作により揚送するようにしたパチンコ遊技機（パチンコ機）も考えられている（例えば、特許文献１参照。）。
【特許文献１】特開平１０−１７９８５８号公報（第４、５頁  図２〜６）
【発明の開示】
【発明が解決しようとする課題】
【０００５】
ところで、特許文献１のパチンコ遊技機では、単一の回転ドラムの複数箇所に設けられた永久磁石で遊技球を吸着させると共に、回転ドラムを回転させて遊技球を下から特別入賞領域がある上に揚送（下から上に搬送）することになる。また、回転ドラムに複数箇所設けられた永久磁石のうちのどの永久磁石に吸着されるかで、特定入賞領域への入賞率が異なるようになっている。また、回転ドラムに吸着されなかった遊技球は、最終的に回転ドラムの下側に形成された一般入賞領域に入賞することになる。
【０００６】
しかし、回転ドラムの永久磁石に吸着された遊技球は、回転する単一の回転ドラムの周方向に沿って、回転する回転ドラムと一体に移動するだけであることから、変動入賞装置内部における遊技球の誘導態様（回転ドラムによる遊技球の下から上への誘導の状態）は比較的単純なものとなり、遊技球の興趣性の高い誘導態様を実現できない。
【０００７】
また、回転ドラムにおける遊技球が吸着される部分、すなわち、永久磁石の位置が遊技者に分かるので、始動口に遊技球が入賞して変動入賞装置が開状態となり、変動入賞装置内部に遊技球が流入した時点で回転ドラムの回転位相により、遊技球が吸着可能なタイミングか否かが遊技者に分かってしまい、回転ドラムに遊技球が吸着しないタイミングであることが分かった時点で、遊技者の期待感が無くなってしまう。
なお、回転ドラムにおいて、永久磁石が隠されていても、回転ドラムの外周に設けられた装飾用の絵や模様等により、直ぐに永久磁石の位置が遊技者に知れてしまうことになる。
【０００８】
この発明の課題は、遊技球を吸着可能な回転ドラムを用いて特別入賞領域に遊技球を誘導可能とする際に、遊技球の興趣性の高い誘導態様を実現できると共に、回転ドラムの外周の状態から遊技球を吸着する位置を予想できず、変動入賞装置内に流入した遊技球が回転ドラムに接触可能な位置に流動した後まで、遊技者の期待感を保持可能な遊技機を提供することである。
【課題を解決するための手段】
【０００９】
前記課題を解決するため、請求項１記載の発明は、一般入賞領域および特別入賞領域を有する凹室を形成すると共に開状態と閉状態とに変換可能な可動部材を備えた変動入賞装置を備え、
始動条件の成立に基づき前記変動入賞装置の可動部材を所定態様で前記開状態に変換する補助遊技を実行し、該補助遊技の結果として前記変動入賞装置へ受け入れられた遊技球が前記特別入賞領域へ入賞した場合に該変動入賞装置の可動部材を前記所定態様よりも有利な特定態様で前記開状態に変換する特別遊技を実行し、当該特別遊技の実行により該変動入賞装置へ受け入れられた遊技球が該特別入賞領域へ入賞した場合には該特別遊技を所定の上限数の範囲内で繰り返して実行するようにした遊技機において、
前記変動入賞装置は、
前記凹室の下部に前記可動部材の開状態への変換により受け入れられた遊技球が転動する転動部を配設する一方、前記凹室の上部に前記特別入賞領域を配設し、前記転動部の遊技球を前記特別入賞領域に揚送可能な揚送手段を備え、
前記揚送手段は、
左右方向に設定された回転軸を中心に回転可能に構成され、前記転動部の遊技球を吸着する吸着手段を有すると共に、該吸着した遊技球を回転動作により前記特別入賞領域に揚送可能な第１の回転ドラムと、
左右方向に設定された回転軸を中心に回転可能に構成され、表面に所定の表示を付すと共に、前記第１の回転ドラムの外面所要範囲を覆う状態で、当該第１の回転ドラムの外側に配設された第２の回転ドラムと、
を備え、前記第１の回転ドラムの吸着手段により前記第２の回転ドラムの表面上で遊技球を吸着可能に構成すると共に、前記第１の回転ドラムと第２の回転ドラムとを異なる回転態様で回転可能に構成し、
前記第２の回転ドラムの表面上で遊技球が吸着された状態のまま、当該第２の回転ドラムを該第１の回転ドラムと異なる回転態様で回転させながら当該遊技球を揚送可能に構成したことを特徴としている。
【００１０】
ここで、「第１の回転ドラムの外面所要範囲」とは、第１の回転ドラムの表面（外周面）全体であっても良いし、第１の回転ドラムの表面（外周面）の一部であっても良い。
また、第２の回転ドラムの表面に付される「所定の表示」とは、第２の回転ドラム上の遊技球の移動に関連した表示であり、例えば、遊技球が移動する道路、線路、水路等の路の表示や、遊技球が移動中に遭遇するキャラクタや障害物等の表示等であっても良く、また、表示は、例えば、第２の回転ドラムの表面に施される印刷や、前記表面に貼付されるシール等で構成されるものであっても良いし、ＬＥＤ等の電気的発光部材を用いたものであっても良い。
【００１１】
また、第１の回転ドラムと第２の回転ドラムとを「異なる回転態様で回転可能」とは、例えば、第１の回転ドラムと第２の回転ドラムを逆回転させたり、互いに異なる回転速度で回転させたりすることが可能となっていることである。なお、第１の回転ドラムと第２の回転ドラムとの回転（回転方向、回転速度）をそれぞれ独立した駆動源を有すると共に独立して制御可能となっていることが好ましいが、逆回転や異なる回転速度での回転が可能ならば、第１の回転ドラムと第２の回転ドラムとを１つの駆動源を用いて回転させると共に、一緒に制御するようになっていても良い。
また、「吸着手段」は、金属製の遊技球を吸着する永久磁石や電磁石の他、粘着部材であっても良い。
【００１２】
請求項１に記載の発明によれば、遊技球を揚送する回転ドラムを、遊技球を吸着する第１の回転ドラムと、第１の回転ドラムの外側に配置された第２の回転ドラムとの２重構造にし、かつ、第１の回転ドラムの吸着手段が第２の回転ドラムを介して遊技球を吸着可能として、第２の回転ドラムの表面上で遊技球が吸着された状態のまま、当該第２の回転ドラムを該第１の回転ドラムと異なる回転態様で回転させながら当該遊技球を揚送可能に構成したので、揚送される遊技球と、外側の回転ドラムの回転により変化する表面の表示とにより従来にない興趣性の高い揚送態様を実現できる。
【００１３】
すなわち、見かけ状、遊技球を吸着している回転ドラム（第２の回転ドラム）が、遊技球とは異なる動き、すなわち、遊技球の移動方向と逆方向に動いたり、同方向でも回転速度が異なるように動いたりすることになり、このような回転ドラムと遊技球の奇異な動きにより、極めて興趣の高い動作を見せることができる。また、遊技球を吸着して、遊技球の移動速度に対応する第１の回転ドラムの回転速度に対して、表示を有する第２の回転ドラムの回転速度を遅くしたり、さらに回転方向を逆にしたりすることで、上から下に移動する遊技球に対して、第２の回転ドラムの表示を移動する遊技球が通り過ぎていく背景とすることができる。例えば、第２の回転ドラムに、遊技球の路とその周囲の情景を描いた場合に、遊技球が道を通過している状態を表現することができ、第１の回転ドラムに吸着されて第２の回転ドラムの表面上を周方向に移動する遊技球と、第２の回転ドラムの表面上の表示とにより興趣性の高い表現を行うことができる。
【００１４】
また、吸着手段を有する第１の回転ドラムの外側を第２の回転ドラムが覆うと共に、第１の回転ドラムと第２の回転ドラムとが異なる回転態様で回転することから、遊技者は、直接吸着手段を見ることができないとともに、第２の回転ドラムの表面上の表示に対する第１の回転ドラムの吸着手段の位置が変化することから、第２の回転ドラムの表面上の表示から吸着手段の位置を推測することもできない。従って、可動部材が開状態となって変動入賞装置の凹室に遊技球が流入した際に、第１の回転ドラムの吸着手段が流入した遊技球を吸着する回転位相となっているか否かを遊技者が予想することができず、遊技者は変動入賞装置に流入した遊技球に対して常に期待感を持つことができる。
【００１５】
請求項２に記載の発明は、請求項１に記載の遊技機において、
前記揚送手段は、
一方端側が開放した円筒形に形成された第２の回転ドラムの内部に、前記吸着手段としての磁石を外周面に配設した第１の回転ドラムを挿入すると共に、当該揚送手段の左右各々に前記第１及び第２の回転ドラムを回転させる電気的駆動源を配設することで、当該第１の回転ドラム及び第２の回転ドラムを独立して回転可能に構成したことを特徴としている。
【００１６】
請求項２に記載の発明によれば、第２の回転ドラムを一方端側が開放した有底筒状（もしくは有蓋筒状）とし、第２の回転ドラムの開放端側から第１の回転ドラムを挿入した状態とし、例えば、第２の回転ドラムの開放端側に第１の回転ドラムを回転させる電気的駆動源を配置して、第１の回転ドラムに接続し、第２の回転ドラムの閉塞端側に第２の回転ドラムを回転させる電気的駆動源を配置することで、互いに異なる回転態様で回転可能な回転ドラムの２重構造を効率よく確実に実現することができる。そして、二つの電気的駆動源によりそれぞれ第１の回転ドラムと第２の回転ドラムとを個々に独立して回転させることで、各回転ドラムを各々独立して確実に異なる回転態様で回転可能とすることができる。
【００１７】
また、上述のような構成の場合に、第１の回転ドラムと第２の回転ドラムとがそれぞれ電気的駆動源に接続された側の端部だけが支持される片支持の状態となると考えられるが、例えば、第１の回転ドラムの電気的駆動源に接続される側とは反対の端部を、第２の回転ドラムの電気的駆動源に接続された端部もしくは第２の回転ドラムを回転させる電気的駆動源の回転軸に回転可能に軸受や回転可能なジョイント（スイベル、ロータリー、ユニバーサル等）等により接続し、第２の回転ドラムの電気的駆動源に接続される側とは反対の端部を、第１の回転ドラムの電気的駆動源に接続された端部もしくは第１の回転ドラムを回転させる電気的駆動源の回転軸に回転可能に軸受や回転可能なジョイント等により接続することで、両支持の状態として、安定した状態に第１及び第２の回転ドラムを回転させることができる。
【００１８】
請求項３に記載の発明は請求項１または２に記載の遊技機において、
前記第２の回転ドラムの表面に、吸着された遊技球の吸着状態を解除可能な突起部を形成したことを特徴としている。
【００１９】
請求項３記載の発明によれば、第１の回転ドラムに吸着された遊技球が、下から上の所定位置に揚送される間に、第２の回転ドラムの表面に形成された突起部により吸着を解除されて落とされる可能性がある。
従来（背景技術）は、回転ドラムが１重であったため、遊技球が吸着さえすれば、揚送される構成であったため、遊技者の興味は遊技球が吸着されるか否かの１点に集中してしまい興趣を持続することができないが、本発明では吸着されても遊技球が落とされる可能性があり、遊技内容が多彩化するし、吸着された後も一定の緊張感を出すことができ、しかも遊技球が落とされる分吸着率を高めることができるので興趣を向上させることができる。
なお、特別入賞領域への入賞確率を突起部がない場合と同じとするためには、突起部により遊技球を特別入賞領域へ揚送できる確率が減少した分を補うために、遊技球が回転ドラムに吸着される確率（吸着率）を増加させる必要があり、上述のように遊技球が落とされる分だけ吸着率を高めることになる。従って、吸着された遊技球が落とされることにより遊技者が落胆するとしても、遊技球が落とされるかもしれないという緊張感と、より多くの遊技球が回転ドラムに吸着することによる期待感の向上とから、遊技者の興趣を高めることができる。
【００２０】
また、吸着された遊技球を落とすために回転ドラムとは別に、回転ドラムから独立した状態の障害部材（例えば、回転ドラムの横から障害物を突き出す等）を設けることも考えられるが、このようにした場合、変動入賞装置の構造が複雑化したり大型化したりしてしまうといった問題点があったが、本発明では、優れた作用効果を有する請求項１の構成において第２の回転ドラムに突起部を設けるだけで、上記機能を実現できる。
また、回転ドラムの表面に描かれた絵等の表示と突起部を関連づけることができるので、例えば、表面に描かれた道に沿って遊技球が揚送されている途中で石を模した突起部に進路を邪魔されて遊技球が下に落ちてしまうといった、揚送態様の一部に吸着の解除機能を何ら違和感なく含ませることができ、興趣性を高められる。これは、回転ドラムを２重にしたことによる特異な効果である。
【００２１】
請求項４に記載の発明は、請求項１または２に記載の遊技機において、
前記凹室の上部には、前記特別入賞領域と一般入賞領域が左右方向に隣設されており、
前記第１の回転ドラムの吸着手段を、左右方向に延設することで、吸着されている遊技球が左右方向に移動可能に構成し、
前記第２の回転ドラムの表面に、吸着されている遊技球の左右方向の位置を移動可能な位置移動突起部を形成したことを特徴としている。
【００２２】
請求項４に記載の発明によれば、第１の回転ドラムに左右に移動可能（吸着した状態で移動可能）に吸着した遊技球が、第２の回転ドラムの表面の位置移動突起部に接触した場合に、遊技球の左右位置が変わることになり、左右方向に隣設して配置された特別入賞領域と一般入賞領域とのうちの一般入賞領域に入賞可能な位置に吸着していた遊技球が、揚送過程において、位置移動突起部に接触することで、特別入賞領域に入賞可能な位置に移動するように構成することが可能である。また、逆に、特別入賞領域に入賞可能な位置に吸着していた遊技球が、揚送過程において、位置移動突起部に接触することで、一般入賞領域に入賞可能な位置に移動するように構成することが可能である。
【００２３】
すなわち、従来は、遊技球が回転ドラムのどの磁石に吸着されるかで、どの入賞領域に誘導されるかがある程度決まってしまっていたが、この発明では、第２の回転ドラムに形成された位置移動突起部により、中央から外れた位置に吸着された遊技球（すなわち、特別入賞領域に誘導され難い遊技球）を中央（特別入賞領域に入賞し易い位置）に誘導したり、逆に、中央近傍位置に吸着された遊技球を端側に移動したりできるので、遊技球が回転ドラムに吸着された後でも興趣の高い遊技を継続できる。
また、上記遊技球を移動する機能を備えることにより、その邪魔される遊技球分（特別入賞領域に入賞しやすい位置から入賞し難い位置に誘導された遊技球分）、回転ドラムへの遊技球の吸着率を高めることができるので、遊技者の期待感を高めることができる。
また、請求項３同様に、遊技球の位置を移動させるために他の部材（回転ドラムに対して独立した部材）を備える必要なく、変動入賞装置の構造が複雑化したり大型化したりすることなく、回転ドラム自体で上記効果を得ることができる。
【００２４】
請求項５に記載の発明は、請求項１〜４の何れか１項に記載の遊技機において、
前記吸着手段は、磁石により構成され、
前記第２の回転ドラムには、当該第２の回転ドラム外側の遊技球に対する磁力の強さを異ならせた複数の領域を形成したことを特徴としている。
【００２５】
ここで、第２の回転ドラム外側の遊技球に対する磁力の強さを領域毎に異ならせるためには、例えば、第２の回転ドラムの材質を各領域毎に異なるもの、すなわち、透過磁力が変化するような複数の材質から第２の回転ドラムを構成するものとしても良いし、第２の回転ドラムの肉厚を各領域毎に異ならせるものとしても良い。さらに、第２の回転ドラムの各領域毎に第１の回転ドラムの表面（磁石）からの距離を代えるように、第２の回転ドラムの表面に凹凸を設けても良いし、第１の回転ドラムの回転中心と第２の回転ドラムの回転中心とを偏心させて（位置をずらして）も良い。
【００２６】
請求項５に記載の発明によれば、第２の回転ドラムの回転位置で、磁力が変化することとなり、遊技球の揚送態様を多彩にすることができ興趣が向上する。すなわち、可動部材が開状態となって変動入賞装置に遊技球が流入した場合に、第１の回転ドラムの回転位相だけではなく、第２の回転ドラムの回転位相によっても、遊技球が吸着されやすい時期と吸着されがたい時期とを発生させることができ、かつ、遊技球の揚送途中で、遊技球が脱落しやすい時期と脱落しずら時期とを発生させることができ、遊技球の揚送態様を多彩にすることができる。
また、磁力の影響を、他の装置（回転ドラムとは別の独立した装置）等を備えることなく、第２の回転ドラムにより確実に変化させることができる。さらに、例えば、第２の回転ドラムに描かれた絵等と磁力の変化を関連づけることができ、興趣が向上する。
【発明の効果】
【００２７】
この発明に係る遊技機によれば、変動入賞装置内で遊技球を特別入賞領域に誘導（揚送）する回転ドラムを、遊技球を吸着する第１の回転ドラムと、第１の回転ドラムの表面を覆うと共に、第１の回転ドラムに吸着されて第２の回転ドラムの表面上を移動する遊技球に対応した表示がなされた第２の回転ドラムとから２重構造とすることにより、従来にない興趣性の高い揚送態様を実現できる。
【発明を実施するための最良の形態】
【００２８】
以下、この発明の第１の実施形態について、図面を参照して説明する。
第１の実施形態は、本発明に係る遊技機の適例としてのパチンコ遊技機、特に、所謂「第２種」に属するタイプのパチンコ遊技機について説明を行うものである。
この実施形態のパチンコ遊技機１００は、内部の遊技領域１ａ内に遊技球（遊技媒体）を発射して遊技を行うもので、その前面枠（図示略）の前側上半部におけるガラス板（図示略）の奥側には、図１に示すように、遊技領域１ａを構成する遊技盤１が設置されている。
【００２９】
この遊技盤１のガイドレール２で囲まれた遊技領域１ａの下部には、左右に離間して一対の第１始動入賞口４，４（第１始動口）が設けられ、これら第１始動入賞口４，４の間の中央に位置して第２始動入賞口５（第２始動口）が設けられている。第１始動入賞口４，４の内部には、第１始動入賞口４，４に入った遊技球を検出するための第１始動入賞口センサ４ａ，４ａが配設されている。また、第２始動入賞口５の内部には、第２始動入賞口５に入った遊技球を検出するための第２始動入賞口センサ５ａが配設されている。
また、遊技領域１ａの中央には、図２等に拡大図示するような、変動入賞装置３が設けられている。
【００３０】
遊技領域１ａには、その他に、風車と呼ばれる打球方向変換部材７，…、多数の障害釘１０，…（一部図示略）、入賞口６，…、アウト穴９などが設けられている。このうち、各入賞口６，…の内部には、該入賞口６，…に入った遊技球を検出するための入賞口センサ（図示略）が配設されている。
【００３１】
本発明に係る変動入賞装置３は、その内部となる凹室３２に、凹室３２の下部の床上を転動する遊技球を、凹室３２の上部の後部に設けられた上部一般入賞領域３２ａと特別入賞領域３２ｂとに揚送する揚送装置８（揚送手段）を構成する第１の回転ドラム８１と第２の回転ドラム８２とを備えるものである。
【００３２】
そして、変動入賞装置３は、遊技盤１に形成された取付用開口部（図示略）に遊技盤１の前面側から取り付けられるもので、遊技盤１の前側から後方に延在するように遊技盤１に取り付けられている。
そして、変動入賞装置３は、図２〜図１０に示すように、その周縁部に設けられた取付基板３１と、取付基板３１の内側に設けられ、前側が開放するように正面視して枠状で、内部に前方に開放した凹室３２を形成する前面枠部材３３を備えている。
【００３３】
前記取付基板３１は、変動入賞装置３の周縁部に遊技盤１の前面に沿って鍔状（板状）形成されると共に、その外周形状によって意匠性を有するようになっている。また、取付基板３１には、遊技盤１にビス留めするために複数のビス孔３１１，…が形成されている。
前面枠部材３３は、その前部が遊技盤１より前側に突出して遊技領域１ａ内に配置され、後述するように変動入賞装置３が開状態となっていない場合に、凹室３２内への遊技球の侵入を阻止するようになっている。
前面枠部材３３の凹室３２より上の上部を構成する上部構造部材３４は、その前部が遊技盤１の前面（表面）より前方に配置され、遊技盤１の前方を覆うガラス板の近傍まで突出した状態となっており、遊技領域１ａ内で、変動入賞装置３の部分を流下しようとする遊技球の移動を規制すると共に、変動入賞装置３の左側もしくは右側に誘導するように配置されている。
【００３４】
上部構造部材３４は、変動入賞装置３の上部の装飾装置として機能すると共に、遊技領域１ａの変動入賞装置３より上の部分から、後述するように開状態となった変動入賞装置３の後述する可動部材３３２，３３２の上部へ遊技球を誘導するワープ装置３５，３５を有するものである。
上部構造部材３４の上面部には、上に凸となる略円弧板状の鎧部材３４１が配置されている。そして、鎧部材３４１の中央より左右にずれた位置に、後述ずる左右のワープ装置３５，３５のワープ入口３５１，３５１が開口した状態に形成されている。
上部構造部材３４の鎧部材３４１の下の中央部には、変動入賞装置３上部の装飾となる装飾部材３４２が形成され、その左右にそれぞれ装飾部材３４２と左右に間隔を開けて、装飾装置としても機能する側部構成部材３４３，３４３が形成されている。なお、装飾部材３４２及び側部構成部材３４３，３４３の内部もしくは裏側には、例えば、ＬＥＤやランプ等の電気的発光部材が配置され、発光による装飾機能を有するものとなっている。
【００３５】
また、中央の装飾部材３４２と左右の側部構成部材３４３，３４３との間の空間は、ワープ入口３５１，３５１と連通して遊技球が流入可能で、かつ、流下可能とされると共に、後述する第２ワープ通路（図示略）に遊技球を導出する第１ワープ通路３５２，３５２となっている。
また、左右の側部構成部材３４３，３４３は、その下部の装飾部材３４２に望む面に、第１ワープ通路３５２，３５２から第２ワープ通路に遊技球を導入する導入口３５３，３５３が形成されている。
【００３６】
また、左右の側部構成部材３４３，３４３の下部の斜め外側を向いた面には、凹室３２の流入口３３１を開閉する後述の可動部材３３２，３３２が開状態なった場合に、可動部材３３２，３３２の直上となる位置に、ワープ出口３５４，３５４が形成されている。そして、側部構成部材３４３，３４３内部の導入口３５３，３５３からワープ出口３５４，３５４までの部分が、遊技球が流動可能な上述の第２ワープ通路となっている。また、上述のワープ入口３５１，３５１、第１ワープ通路３５２，３５２、導入口３５３，３５３、第２ワープ通路及びワープ出口３５４，３５４からワープ装置３５が構成されている。
【００３７】
従って、ワープ装置３５は、変動入賞装置３より上の遊技領域１ａを流下する遊技球が鎧部材３４１に形成されたワープ入口３５１，３５１からワープ装置３５に流入した場合に、流入した遊技球を可動部材３３２，３３２の上近傍に導出する。そして、ワープ装置３５のワープ出口３５１，３５１から遊技球が導出した場合に、可動部材３３２，３３２が開状態となっていれば、可動部材３３２，３３２に誘導されて高い確率で遊技球が変動入賞装置３の凹室３２内に流入させられることになる。
また、上部構造部材３４の遊技盤１より後側の上部には、変動入賞装置３の各種配線や、後述する各種制御装置の配線等を中継するための中継基板３４５が設けられている。また、上部構造部材３４の底部３４６は、凹室３２の天井となっている。
【００３８】
前記前面枠部材３３は、上部構造部材３４の直下の左右側部に、前面枠部材３３内部となる凹室３２内に遊技球を流入させる流入口３３１，３３１を有している。そして、前面枠部材３３の左右の流入口３３１，３３１の部分には、流入口３３１，３３１を開閉するようにそれぞれ可動部材３３２，３３２が設けられている。
従って、可動部材３３２，３３２は、凹室３２を形成する前面枠部材３３を備えた変動入賞装置３を開状態と閉状態とに変換可能となっている。
【００３９】
そして、可動部材３３２，３３２は、その下端部に回転中心を有して、左右に回動可能となっており、可動部材３３２、３３２が略垂直に立った状態で、流入口３３１，３３１を遊技球の流入が不可となるように閉塞した閉状態となる。
また、左側の可動部材３３２が下端部を中心に左斜め上を向いた状態に回転し、右側の可動部材３３２が下端部を中心に右斜め上を向いた状態に回転した場合に、前記流入口３３１，３３１を遊技球の流入が可となるよう開放した開状態となる。また、左側の可動部材３３２が左斜め上を向いた状態となり、右側の可動部材３３２が右斜め上を向いた状態となった開状態では、可動部材３３２，３３２上に流下する遊技球を、斜め上を向いた当該可動部材３３２，３３２が変動入賞装置３の凹室３２（前室３２１）内に誘導するようになっている。
【００４０】
また、可動部材３３２は、変動入賞装置３の後端部の下部の左右にそれぞれ設けられた左の可動部材３３２用と右の可動部材３３２用の可動部材用ソレノイド３３２ａ，３３２ａとを電気的駆動源としている。そして、可動部材３３２は、図示しない周知の伝動機構を介して可動部材用ソレノイド３３２ａ，３３２ａと接続されており、伝動機構が可動部材用ソレノイド３３２ａ，３３２ａのプランジャの上下動を可動部材３３２の回転運動に変換して、可動部材用ソレノイド３３２ａ，３３２ａの駆動力を可動部材３３２，３３２に伝動している。
【００４１】
また、前記前面枠部材３３には、その内部の凹室３２の前部に、遊技盤１の前後方向に沿って延出すると共に、凹室３２の前部を上下に仕切る隔壁３３４と、隔壁３３４の後端部から上部構造部材３４に向かって上に延出する仕切壁３３５とを有し、これら隔壁３３４及び仕切壁３３５とにより、凹室３２の前部の上部となる前室３２１が凹室３２の本室３２２と区画されている。
前記隔壁３３４は、上に凸となるように湾曲した形状を有する。
そして、上述のように可動部材３３２，３３２が開となった状態で、左右の流入口３３１から凹室３２内に流入する遊技球は、凹室３２内の隔壁３３４上の前室３２１内に入ることになる。そして、前室３２１に入った遊技球は、上に凸となる湾曲した形状の隔壁３３４の左右の斜面により、流入した流入口３３１とは反対側の流入口３３に向かう移動が抑制され、前室３２１の左端部もしくは右端部の下部に誘導されるようになっている。
【００４２】
一方、前室３２１の左右側部のそれぞれの下端部から本室３２２の下部の左右のそれぞれの側部との間には、遊技球を前室３２１から本室３２２の前床板３３８上に誘導する図示しない入賞通路が形成されている。
そして、入賞通路は、前室３２１の左右端部の底部（隔壁３３４の左右端部）にそれぞれ設けられた導入口１１１（図４に左側だけ図示）から、前面枠部材３３（凹室３２）の左右の内側面の下端部に形成された導出口１１２に至るように、前面枠部材３３の下部の左右側部の奥側（後方側）に設けられている。
従って、可動部材３３２が開状態となった際に、流入口３３１から流入した遊技球は、一旦前室３２１に流入した後に、全て入賞通路を通って、凹室３２の本室３２２の前側の下端部となる前床板３３８上に至るようになっている。従って、凹室３２内に流入した遊技球が直接揚送装置８に接触することがないようになっている。そして、入賞通路内には、変動入賞装置３内に流入した遊技球を検知するカウントセンサ（図示略）が形成されている。
【００４３】
また、前面枠部材３３には、その内部の凹室３２の奥の略下半分に遊技盤１の左右方向に設定された回転軸を中心に回転可能な２重構造となる第１の回転ドラム８１と第２の回転ドラム８２が配置されると共に、第１の回転ドラム８１と第２の回転ドラム８２の後方に、上部入賞領域仕切壁３３７が垂直に設けられている。なお、第１の回転ドラム８１と第２の回転ドラム８２とは、同軸上に配置されると共に、これらの回転軸がパチンコ遊技機１００の左右方向に設定されている。
また、上部入賞領域仕切壁３３７の前面の第１の回転ドラム８１と第２の回転ドラム８２の回転軸より上で、第１の回転ドラム８１と第２の回転ドラム８２の上端より下の部分から前方にほぼ水平に延出するように球離脱板３３９が形成されている。球離脱板３３９は、第１の回転ドラム８１の外側に配置される第２の回転ドラム８２を介して、第１の回転ドラム８１に吸着された遊技球を第１の回転ドラム８１から引き剥がすもので、第１の回転ドラム８１の左右方向に沿って第１の回転ドラム８１に先端が近接した状態となっている。なお、実際には、第１の回転ドラム８１の外側に第２の回転ドラム８２が配置されているので、球離脱板３３９の先端部は、第２の回転ドラム８２の当接もしくは近接した状態で配置される。
【００４４】
また、球離脱板３３９は、その先端部で、第１の回転ドラム８１に吸着された遊技球を引き剥がすようになっていると共に、上面が遊技球が後方に転動するように後方に向かって下り傾斜しており、第１の回転ドラム８１から引き剥がした遊技球を後方に誘導するようになっている。この際に、球離脱板３３９は、パチンコ遊技機１００の前後方向に沿ってほぼ真っ直ぐに後方に遊技球を誘導するようになっている。すなわち、球離脱板３３９上を転動する遊技球は、第１の回転ドラム８１において吸着されていた左右位置からほとんど左右にずれることなく、上部入賞領域仕切壁３３７に向かって転動するようになっている。
【００４５】
そして、凹室３２の本室３２２は、上部入賞領域仕切壁３３７により後方の上部入賞領域３２３と仕切られている。すなわち、凹室３２は、上部入賞領域仕切壁３３７により前側の本室３２２と後側の上部入賞領域３２３とに仕切られている。
上部入賞領域仕切壁３３７には、下側が球離脱板３３９上面まで開口する三つの開口部が左右に並んで形成されており、左右に並んだ三つの開口部のうちの中央の開口部が特別入賞口３２４とされ、この特別入賞口３２４より奥側、すなわち、特別入賞口３２４の内部が前記特別入賞領域３２ｂとされている。また、特別入賞口３２４の左右にそれぞれ配置された開口部が一般入賞口３２５とされ、この一般入賞口３２５より奥側、すなわち、一般入賞口３２５の内部が上部一般入賞領域３２ａ，３２ａとされている。従って、凹室３２の上部には、特別入賞領域３２ｂと上部一般入賞領域３２ａ，３２ａとが左右方向に隣設されている。
【００４６】
そして、上部入賞領域３２３の内部は、上部入賞領域仕切壁３３７の三つの開口部である中央の特別入賞口３２４と、左右それぞれの一般入賞口３２５，３２５とに対応して、左右に三つに仕切られている。すなわち上部入賞領域３２３では、左右の一般入賞領域３２ａ、３２ａに対して中央の特別入賞領域３２ｂが仕切られて隔離された状態となっている。
また、上部入賞領域３２３は、凹室３２内の揚送装置８に揚送された遊技球を遊技盤１の裏面に形成された図示しない球排出経路側に流下させる流下路となっており、変動入賞装置３の後部の下端部に設けられた流出口３７から遊技球を球排出経路に流出させるようになっている。そして、流下路となる特別入賞領域３２ｂには、特別入賞口３２４から特別入賞領域３２ｂに入賞（流入）した遊技球を検出する特別入賞センサ３８が設けられている。
【００４７】
また、前面枠部材３３内の凹室３２の本室３２２の底部は、その前部が前から後に向かって下り傾斜する前床板３３８とされている。本室３２２の底部の後部は、上記第２の回転ドラム８２の回転軸の僅かに前から第２の回転ドラム８２の後端部分まで、第２の回転ドラム８２の外周面の下側に沿った断面円弧上の後床円弧板３３ａとされている。
そして、前床板３３８と、後床円弧板３３ａとの間には、第２の回転ドラム８２の左右方向に沿って長尺な開口部３３ｂが形成されている。そして、該開口部３３ｂには、該開口部３３ｂを開閉可能で、閉じた状態で、前床板３３８と後床円弧板３３ａとの間の床となる床板部材３３ｃが配置されている。該床板部材３３ｃは、その後側縁部に左右方向に沿った回転軸が設定され、前記開口部３３ｂを閉塞するほぼ水平な状態（僅かに後方の第２の回転ドラム８２の下端部に向かって下り傾斜した状態）から開口部３３ｂを開放するように前端部が下を向いた状態（垂直な状態もしくは斜め下を向いた状態）まで回転可能となっている。
【００４８】
また、床板部材３３ｃには、回転軸となる軸３３ｄが一体に回転可能に固定され、軸３３ｄの両端部が前面枠部材３３の下部の左右側部に回動自在に支持され、軸３３ｄの一方の端部が、図示しない電気的駆動源に図示しない伝動機構を介して接続され、上述のような回転を行うようになっている。
また、床板部材３３ｃにより開閉される開口部３３ｂは、前述の球排出経路に連通するようになっており、開口部３３ｂが開放された状態で開口部３３ｂから流下した遊技球は球排出経路に至るようになっている。そして、開口部３３ｂから流下した遊技球は、特別入賞領域３２ｂに至ることはなく、一般入賞が確定することになり、開口部３３ｂの内部（下側）が下部一般入賞領域３２ｃとなる。
【００４９】
また、床板部材３３ｃ（開口部３３ｂ）の位置は、凹室３２内の床上の遊技球が第１の回転ドラム８１に第２の回転ドラム８２を介して吸着される位置となっており、床板部材３３ｃがほぼ水平となって、下部一般入賞領域３２ｃへの入賞口となる開口部３３ｂを閉塞した状態では、変動入賞装置３へ流入した遊技球が入賞通路を通って前床板３３８上に至り、前床板３３８の傾斜に沿って前床板３３８の後の床板部材３３ｃ上に至るようになっている。なお、床板部材３３ｃは、通常時は開状態で、後述する始動遊技中及び大当り中は閉状態となっている。また、作動して閉じた状態の床板部材３３ｃ上には、前床板３３８の後側縁と、第２の回転ドラム８２との間に、例えば、左右に一列に五つの遊技球が並んで配置可能となっている。また、床板部材３３ｃ上の遊技球は、閉じた状態の床板部材３３ｃの後方側への下り傾斜により第２の回転ドラム８２側に押しつけられた状態となり、第２の回転ドラム８２を介して第１の回転ドラム８１の吸着手段となる磁石８３（８３ａ〜８３ｃ）に吸着可能となっている。そして、前床板３３８及び床板部材３３ｃは、上述のように変動入賞装置３の凹室３２に入賞した遊技球が転動する凹室３２下部の転動部となっている。すなわち、変動入賞装置３は、凹室３２の下部に可動部材３３２の開状態への変換により受け入れられた遊技球が転動する転動部を配設している。
【００５０】
また、床板部材３３ｃは、通常は、非作動状態として、開口部３３ｂ（下部一般入賞領域３２ｃ）を開放した状態となっており、この状態で、凹室３２の本室３２２内に遊技球があると、揚送装置８に吸着されることなく、遊技球は、開放した開口部３３ｂから下部一般入賞領域３２ｃに入賞（流入）することになる。
また、前面枠部材３３には、凹室３２（本室３２２）の第２の回転ドラム８２上の第２の回転ドラム８２の回転軸より僅かに後方の位置の左右に、誘導部材３９，３９が配置されている。誘導部材３９，３９は、扇状の形状を有し、円弧辺側を外周とし、基端部となる鋭角側を回転中心として回転移動するようになっている。また、図２、図６及び図７に示すように、誘導部材３９，３９は、上部入賞領域仕切壁３３７の左の一般入賞口３２５を左の誘導部材３９が遮り、右の一般入賞口３２５を右の誘導部材３９が遮る位置（特別入賞口３２４は遮らない）から、左の誘導部材３９は左に、右の誘導部材３９は右に回転移動し、それぞれ、一般入賞口３２５，３２５を遮らない位置に移動可能となっている。
【００５１】
そして、誘導部材３９，３９が一般入賞口３２５，３２５を遮る状態が誘導状態（作動状態）であり、誘導部材３９，３９が一般入賞口３２５，３２５を遮らない状態が非誘導状態（非作動状態）である。そして、誘導部材３９，３９が誘導状態もしくは、誘導状態と非誘導状態との間を移動中の場合に、第２の回転ドラム８２を介して第１の回転ドラム８１の左右の中央部より左もしくは右に吸着されている遊技球が、誘導部材３９，３９に誘導されて第１の回転ドラム８１（第２の回転ドラム８２）の左右の中央部側に寄せられ、上部入賞領域仕切壁３３７の左右の中央部の特別入賞口３２４に入賞しやすい状態（入賞確率が高くされた状態）とされるようになっている。なお、誘導部材３９，３９に誘導されない状態では、第２の回転ドラム８２を介して第１の回転ドラム８１の左右の中央部より左もしくは右に吸着されている遊技球は、上部入賞領域仕切壁３３７の左右の一般入賞口３２５，３２５に入賞するようになっている。
【００５２】
また、誘導部材３９，３９には、その回転中心位置に、パチンコ遊技機１００の前後方向に沿った回転支持軸３９１，３９１が接続されている。また、回転支持軸３９１，３９１には、一部を図示する伝動機構３９２，３９２を介して電気的駆動源となる誘導部材用ソレノイド３９３，３９３が接続されている。誘導部材用ソレノイド３９３，３９３は、変動入賞装置の後端部の上部に配置されている。また、伝動機構３９２は、誘導部材用ソレノイド３９３，３９３のプランジャの上下運動を誘導部材３９，３９の左右の回転運動に変換するようになっている。
【００５３】
次ぎに、揚送装置８について説明する。揚送装置８は、上述のように第１の回転ドラム８１と第２の回転ドラム８２とを有すると共に、第１の回転ドラム８１を回転させる第１のモータ８１１と、第２の回転ドラム８２を回転させる第２のモータ８２１とを有する。これら第１及び第２のモータ８１１，８２１は、回転速度及び回転方向を変更可能な例えばステッピングモータからなる。
第１の回転ドラム８１は、左右方向に設定された回転軸を中心に回転可能に構成され、前記転動部の遊技球を吸着する吸着手段（磁石８３）を有すると共に、該吸着した遊技球を回転動作により前記特別入賞領域３２ｂに揚送可能となっている。
そして、図８及び図９に示すように、第１の回転ドラム８１は、両端部が開口した円筒体８１ａと、円筒体８１ａ内の中心軸上で断面十字状に交差するとともに、外側の端部が円筒体８１ａと一体に接合された十字スポーク８１ｂと、十字スポーク８１ｂの中央交差部に形成された貫通孔（ハブ孔）に回転不可（十字スポーク８１ｂと一体に回転可能）に挿入されて貫通する軸部材８１ｃと、軸部材８１ｃと第１のモータ８１１の駆動軸８１３とを一体に回転可能に接続する管状の接続軸８１ｄとを有する。
【００５４】
第２の回転ドラム８２は、左右方向に設定された回転軸を中心に回転可能に構成され、表面に所定の表示を付すと共に、第１の回転ドラム８１の外面の所要範囲として外面全体を覆う状態で、当該第１の回転ドラム８１の外側に配設されている。
そして、第２の回転ドラム８２は、有底筒状の円筒体８２ａと、円筒体８２ａの底部８２ｂの中心に外面側に突出して設けられ、第２のモータ８２１の駆動軸８２３が接続される接続部８２ｃと、底部８２ｂの内面側の中心に固定され、前記第１の回転ドラム８１の軸部材８１ｃの先端が回転自在に接合される軸受となるブッシュ８２ｄと、有底筒状の円筒体８２ａの開放端を塞ぐ円板状の蓋部材８２ｅと、該蓋部材８２ｅの中央部に固定され、軸部材８１ｃが回転自在に接合される軸受となるブッシュ８２ｆとを備える。
【００５５】
第１の回転ドラム８１の円筒体８１ａと十字スポーク８１ｂとは一体に構成されており、それらの左右端面がほぼ面一となっていると共に、円筒体８１ａの中心軸が十字スポーク８１ｂの貫通孔と一致している。
また、円筒体８１ａの十字スポーク８１ｂの十字に交差する二つの板状のスポーク８１６，８１７のうちの一方のスポーク８１６と内周面が接続される二つの位置に円筒体８１ａの軸方向に沿うと共に、円筒体８１ａの全長に渡って左右に延在する溝部８１８，８１９が形成されている。また、円筒体８１ａの円周上において、一方の溝部８１８と他方の溝部８１９とは、１８０度離れた位置に配置されており、第１の回転ドラム８１の円筒体８１ａが１８０度回転（半回転）する度に、溝部８１８，８１９が出現するようになっている。
【００５６】
そして、円筒体８１ａの一方の溝部８１８には、その左右の中央部に吸着手段となる第１の磁石８３ａ（８３）が取り付けられ、第１の磁石８３ａより中心から左右にそれぞれずれた円筒体８２ａ（第１の回転ドラム８１）の左右両端部に、第３の磁石８３ｃ，８３ｃ（８３）が取り付けられている。
また、円筒体８１ａの他方の溝部８１９には、円筒体８１ａ（第１の回転ドラム８１）の左右両端部より少し内側の位置、すなわち、左右位置が第１の磁石８３ａとその左右の第３の磁石８３ｃ，８３ｃとの間となる位置に、第２の磁石８３ｂ，８３ｂ（８３）が取り付けられている。
【００５７】
軸部材８１ｃは、十字スポーク８１ｂの貫通孔に挿入されて貫通し、その両端部が十字スポーク８１ｂの端部から突出した状態となっている。そして、軸部材８１ｃの一方の端部（この例では左側端部）が、管状の接続軸８１ｄ内に挿入されて嵌合している。そして、管状の接続軸８１ｄの接続軸８１ｄが挿入された側の反対側には、第１のモータ８１１の駆動軸８１３が挿入されて嵌合することで、接続軸８１ｄにより駆動軸８１３と軸部材８１ｃとが接続され、第１のモータ８１１が作動した場合に、駆動軸８１３と一体に軸部材８１ｃが回転する。また、この構成により軸部材８１ｃは、後述するように、前面枠部材３３に固定された第１のモータ８１１に支持された状態となっている。
【００５８】
また、円筒体８１ａ（第１の回転ドラム８１）は、第２の回転ドラム８２の円筒体８２ａ内に収納された状態で配置され、軸部材８１ｃの他方の端部（この例では右側端部）が第２の回転ドラム８１の円筒体８２ａの底部８２ｂの中心の内面に固定された軸受となるブッシュ８２ｄに回転自在に挿入されて、第２の回転ドラム８１の第２のモータ８２１側の端部に支持された状態となり、間接的に、前面枠部材３３に固定された第２のモータ８２１に回転自在に支持された状態となっている。
また、第１の回転ドラム８１の円筒体８１ａの軸方向に沿った左右の長さは、第２の回転ドラム８２の円筒体８２ａの左右長さより僅かに短くなっており、第２の回転ドラム８２の円筒体８２ａ内部に第１の回転ドラム８１の円筒体８１ａを挿入した状態で、第２の回転ドラム８２の円筒体８２ａの開放端側に蓋部材８２ｅを閉めた状態に接合できるようになっている。
【００５９】
また、第１の回転ドラム８１の円筒体８１ａの外径は、第２の回転ドラム８２の円筒体８２ａの内径より僅かに小さいものとなっていると共に、円筒体８１ａと円筒体８２ａとは中心軸が一致するように同軸上に配置されている。そして、円筒体８２ａ内に円筒体８１ａを配置した状態で、円筒体８２ａの内周面と円筒体８１ａの外周面との間には、僅かに隙間があくようになっている。なお、第１の回転ドラム８１の磁石８３の磁力は、第２の回転ドラム８２を介して遊技球を吸着可能なものとされている。また、第２の回転ドラム８２は、磁石８３の磁力をできるだけ妨げないと共に、磁石８３により磁化されて磁石８３の近傍以外の場所でも遊技球を吸着するようなことがない部材から構成されている。ここでは、第１の回転ドラム８１及び第２の回転ドラム８２は、軸部材８１ｃ、接続軸８１ｄ及びブッシュ８２ｄ，８２ｆを除いて合成樹脂からなっている。また、十分な強度を有するものならば、軸部材８１ｃ、接続軸８１ｄ及びブッシュ８２ｄ，８２ｆの全部もしくは一部が合成樹脂からなっていても良い。
また、第２の回転ドラム８２（円筒体８２ａ）の外周面は、磁石８３に吸着した遊技球を表面上でスムーズに移動させることができるように、滑りやすい滑らかな状態であることが好ましく、摩擦抵抗が少ない材料を用いたり、表面仕上げを施したりすることが好ましい。
【００６０】
そして、上述のように内部に円筒体８１ａ等を収納した状態の円筒体８２ａに蓋部材８２ｅを接合した状態で、円筒体８１ａ内の十字スポーク８１ｂを貫通した軸部材８１ｃの第１のモータ８１１側（左側）の端部は、蓋部材８２ｅの中心部に形成された貫通孔に嵌合した状態のブッシュ８２ｆを回動自在に貫通した状態で、接続軸８１ｄにより第１のモータ８１１の駆動軸８１３に接続されている。これにより、ブッシュ８２ｆ、軸部材８１ｃ及び接続軸８１ｄを介して第２の回転ドラム８２が第２のモータ８２１の反対側の端部を第１のモータ８１１の駆動軸８１３に回転自在に支持された状態となっている。
【００６１】
すなわち、第１の回転ドラム８１は、回転軸方向の左右の端部のうちの一方の端部（例えば、左端部）を第１のモータ８１１の駆動軸８１３に、該駆動軸８１３と一体に回転可能に支持され、他方の端部（例えば、右端部）を第２の回転ドラム８２を回転させるための第２のモータ８２１の駆動軸８２３に接続部８２ｃ、蓋部材８２ｅ及び軸受（ブッシュ８２ｄ）を介して当該駆動軸８２３に対して回転自在に支持されている。
また、第２の回転ドラム８２は、回転軸方向の左右の端部のうちの他方の端部（例えば、右端部）を第２のモータ８２１の駆動軸８２３に、該駆動軸８２３と一体に回転可能に支持され、他方の端部を第１の回転ドラム８１を回転させるための第１のモータ８１１の駆動軸８１３に接続軸８１ｄ、軸部材８１ｃ及び軸受（ブッシュ８２ｆ）を介して回転自在に支持されている。
【００６２】
従って、第１の回転ドラム８１が一方の端部に接続された第１のモータ８１１に接続されて回転駆動され、第１の回転ドラム８１の外側を覆う（すなわち、第１の回転ドラム８１を内部に収納した）第２の回転ドラム８２が第１のモータ８１１と反対側の他方の端部に接続された第２のモータ８２１に接続されて回転駆動される構成としても、第１の回転ドラム８１及び第２の回転ドラム８２が片支持の状態とならずに、両支持の状態となるので、第１の回転ドラム８１及び第２の回転ドラム８２を極めて安定した状態で回転させることができる。なお、上述のような構成から、一方端側が開放した円筒形に形成された第２の回転ドラム８２の内部に、磁石８３を外周面に配設した第１の回転ドラム８１を挿入すると共に、揚送装置８の左右各々に前記第１及び第２の回転ドラム８１，８２を回転させる電気的駆動源（第１及び第２のモータ８１１，８２１）を配設した状態となり、第１の回転ドラム８１及び第２の回転ドラム８２を独立して回転可能となっている。
【００６３】
すなわち、第１の回転ドラム８１と第２の回転ドラム８２とは、それぞれ、別の第１のモータ８１１と第２のモータ８２１とにより回転駆動されるようになっており、第１の回転ドラム８１と第２の回転ドラム８２とをそれぞれ互いに異なる回転態様で回転させることができるようになっている。例えば、第１の回転ドラム８１と第２の回転ドラム８２との回転速度を異なるものとしたり、回転方向を異なるもの（逆回転）としたりすることが可能となっている。また、第１の回転ドラム８１と第２の回転ドラム８２とにおいて、一時的に一方の回転ドラムを停止した状態で他方の回転ドラムだけを回転させたりしても良い。
【００６４】
なお、第１の回転ドラム８１及び第２の回転ドラム８２に、第１のモータ８１１及び第２のモータ８２１の駆動軸８１３，８２３を伝動機構を介さずに接続し、これら駆動軸８１３，８２３に両支持されるものとしたが、伝動機構（伝動軸）を介しても良く、この場合に第１の回転ドラム８１及び第２の回転ドラム８２は、左右の伝動機構に両支持の状態に支持されることになる。すなわち、第１の回転ドラム８１及び第２の回転ドラム８２は、伝動機構を含んでも良い左右の駆動源（例えば、伝動機構を介して回転する回転軸）に両支持の状態に支持される。
【００６５】
また、第２の回転ドラム８２（円筒体８２ａ）の外周面は、その前方を向く側が前面枠部材３３の開口部（窓部）から視認可能となっている。そして、第１の回転ドラム８１と第２の回転ドラム８２とを互いに回転態様が異なる状態とした場合に、第２の回転ドラム８２の外周面上を、第１の回転ドラム８１の磁石８３に吸着された遊技球が移動するようになっている。そして、第２の回転ドラム８２の外周面上には、当該外周面上を移動する遊技球の軌跡に対応した表示（絵、写真、図、マーク）がなされている。例えば、第２の回転ドラム８２の外周面上には、第１の回転ドラム８１に吸着された遊技球の移動の軌跡となる部分に路（例えば、道路、線路、水路等）の表示がなされ、その周囲に路の周囲の背景となる表示（例えば、家等の建築物、木等の植物、山等の景色など）がなされており、移動する遊技球が路を通過するような表示がなされている。なお、第２の回転ドラム８２の外周面上の表示は、路に限られるものではなく、外周面上を移動する遊技球に対応する図柄ならどのような表示であっても良い。また、表示は、第２の回転ドラム８２の外周面に直接印刷されるものでも良いし、印刷物を貼付するものでも良いし、印刷以外の方法で描かれたものでも良い。
また、第２の回転ドラム８２は、第１の回転ドラム８１の全体を覆わなくてもよく、第１の回転ドラム８１の一部を覆うものとしても良い。
【００６６】
第１のモータ８１１は、前面枠部材３３の左側面の外側に、フランジ８１２を介して取り付けられている。なお、第１のモータ８１１の駆動軸８１３は、前面枠部材３３の左側部を貫通して凹室３２内の第１の回転ドラム８１の軸部材８１ｃと接続軸８１ｄにより接続されている。
第２のモータ８２１は、前面枠部材３３の右側面の外側に、フランジ８２２を介して取り付けられている。なお、第２のモータ８２１の駆動軸８２３は、前面枠部材３３の右側部を貫通して凹室３２内の第２の回転ドラム８２の円筒体８２ａの接続部８２ｃと接続されている。
【００６７】
そして、上述のような揚送手段８においては、第１の回転ドラム８１と第２の回転ドラム８２との間で回転速度や回転方向を異なるものとすることができるが、転動部である床板部材３３ｃ上の遊技球を吸着して上部入賞領域３２３側に揚送する場合に、第１の回転ドラム８１は、その前側が下から上に回転する方向、すなわち、右側から見て時計回りに回転する方向に回転する必要がある。それに対して、第２の回転ドラム８２は、第１の回転ドラム８１と同じ方向に回転しても良いし、反対の方向に回転しても良い。
この例では、第２の回転ドラム８２を第１の回転ドラム８１の回転方向と逆方向に回転させるようになっており、第１の回転ドラム８１に吸着されて、第１の回転ドラム８１の回転に対応して第２の回転ドラム８２の表面上（外周面上）を移動する遊技球と、第２の回転ドラム８２の外周面が逆に移動することで、従来にない興趣を得られるようになっている。
【００６８】
そして、第１の回転ドラム８１の第１の磁石８３ａに吸着された遊技球は、転動部である床板部材３３ｃ上から揚送され、第２の回転ドラム８２の上端となる位置を越えると共に、誘導部材３９，３９に影響されることなく、誘導部材３９，３９の位置を越えて、球離脱板３３９の先端部に接触して、第１の回転ドラム８１の第１の磁石８３ａから離されて、球離脱板３３９上をその傾斜に沿って、上部入賞領域仕切壁３３７に向かい、上部入賞領域仕切壁３３７の中央の開口部である特別入賞口３２４から特別入賞領域３２ｂ内に入賞（流入）するようになっている。
【００６９】
また、第１の回転ドラム８１の第２の磁石８３ｂ，８３ｂに吸着された遊技球は、転動部である床板部材３３ｃ上から揚送され、第２の回転ドラム８２の上端となる位置を越えると共に、誘導部材３９，３９の位置を通過することになる。そして、この際に、誘導部材３９，３９が作動しておらず非誘導状態となっていると、誘導部材３９，３９に影響されることなく、球離脱板３３９の先端部に接触して、第１の回転ドラム８１の第２の磁石８３ｂ，８３ｂから離されて、球離脱板３３９上をその傾斜に沿って、上部入賞領域仕切壁３３７に向かい、上部入賞領域仕切壁３３７の左右の開口部である一般入賞口３２５のうちの一方から一般入賞領域３２ａ，３２ａ内に入賞するようになっている。
【００７０】
一方、遊技球が第２の磁石８３ｂ，８３ｂに吸着された状態で、誘導部材３９，３９が作動し誘導状態となっていると、第２の磁石８３ｂ，８３ｂに吸着された遊技球は、誘導部材３９，３９に誘導されて、第１の回転ドラム８１及び第２の回転ドラム８２の中央側に寄せられた状態で、球離脱板３３９上を転動して、上部入賞領域仕切壁３３７に向かい、例えば、３／５程度の高い確率で、特別入賞口３２４から特別入賞領域３２ｂ内に入賞するようになっている。
【００７１】
なお、上部入賞領域仕切壁３３７は、上部入賞領域仕切壁３３７に接触した遊技球を、中央の特別入賞口３２４か左右の一般入賞口３２５，３２５かに振り分けられるようになっており、特別入賞口３２４から特別入賞領域３２ｂに入賞しなかった遊技球は、一般入賞口３２５から一般入賞領域３２ａに入賞するようになっている。
【００７２】
また、第１の回転ドラム８１の第３の磁石８３ｃ，８３ｃに吸着された遊技球は、転動部である床板部材３３ｃ上から揚送され、第２の回転ドラム８２の上端となる位置を越えると共に、誘導部材３９，３９の位置を通過することになる。そして、この際に、誘導部材３９，３９が作動しておらず非誘導状態となっていると、誘導部材３９，３９に影響されることなく、球離脱板３３９の先端部に接触して、第１の回転ドラム８１の第３の磁石８３ｃ，８３ｃから離されて、球離脱板３３９上をその傾斜に沿って、上部入賞領域仕切壁３３７に向かい、上部入賞領域仕切壁３３７の左右の開口部である一般入賞口３２５のうちの一方から一般入賞領域３２ａ，３２ａ内に入賞するようになっている。
【００７３】
一方、遊技球が第３の磁石８３ｂ，８３ｂに吸着された状態で、誘導部材３９，３９が作動し誘導状態となっていると、第３の磁石８３ｃ，８３ｃに吸着された遊技球は、誘導部材３９，３９に誘導される可能性があるが、第３の磁石８３ｃ，８３ｃに吸着された遊技球は、第２の磁石８３ｂ，８３ｂに吸着された遊技球より外側に位置するので、誘導部材３９，３９に進路を妨害された場合に、誘導部材３９，３９により中央側に誘導されるとは限らず、例えば、中央を越えて反対側に誘導されたり、誘導部材３９，３９が誘導状態から非誘導状態となるまで移動を止められたりする可能性が高い。
【００７４】
従って、第３の磁石８３ｃ，８３ｃに吸着された遊技球は、誘導部材３９，３９が誘導状態となっていて、誘導部材３９，３９に接触した場合に、球離脱板３３９上を転動して上部入賞領域仕切壁３３７に向かい、例えば、１／１０程度の低い確率で、特別入賞口３２４から特別入賞領域３２ｂ内に入賞し、ほとんどの場合は、一般入賞口３２５のうちの一方から一般入賞領域３２ａ，３２ａ内に入賞するようになっている。
【００７５】
また、変動入賞装置３において、前記可動部材３３２，３３２は、始動条件の成立（ここでは前記第１始動入賞口４，４又は第２始動入賞口５への遊技球の入賞）に基づき、可動部材用ソレノイド３３２ａの駆動によって、所定態様で開状態に変換される。すなわち、第１始動入賞口４に入賞した遊技球が第１始動入賞口センサ４ａに検出されることに基づき、可動部材３３２，３３２が開放動作（開状態に変換）し、所定時間経過後（ここでは０．５秒経過後）に再び閉鎖動作（閉状態に変換）するといった所定態様の開閉動作を１回行う（第１補助遊技）ようになっている。同様に、第２始動入賞口５に入賞した遊技球が第２始動入賞口センサ５ａに検出されることに基づき、前記可動部材３３２，３３２が所定態様の開閉動作すなわち、ここでは開放時間０．８秒の開閉動作を２回行う（第２補助遊技）ようになっている。
【００７６】
そして、前記補助遊技の実行に基づき開状態となった変動入賞装置３の凹室３２に流入した遊技球が、転動部となる床板部材３３ｃ上に至り、さらに揚送装置８に揚送されて上述のように特別入賞領域３２ｂに入賞することにより、変動入賞装置３を前記所定態様よりも有利な特定態様（ここでは０．８秒開放×最大１８回の開閉動作）で開状態に変換する特別遊技（大当たりとも称される、遊技者が多数の遊技球を獲得可能な状態）を実行する（発生させる）ようになっている。
【００７７】
さらに、前記特別遊技の実行に基づき変動入賞装置３へ受け入れられた遊技球が前記特別入賞領域３２ｂへ入賞した場合には、前記特別遊技を所定の上限数（ここでは１５回）の範囲内で繰り返し実行（継続）するようになっている。
従って、この例のパチンコ遊技機１００は、一般入賞領域３２ａおよび特別入賞領域３２ｂを有する凹室３２を形成すると共に開状態と閉状態とに変換可能な可動部材３３２，３３２を備えた変動入賞装置３を備え、始動条件の成立に基づき前記変動入賞装置３の可動部材３３２を所定態様で前記開状態に変換する補助遊技を実行し、該補助遊技の結果として前記変動入賞装置３へ受け入れられた遊技球が前記特別入賞領域３２ｂへ入賞した場合に該変動入賞装置３の可動部材３３２を前記所定態様よりも有利な特定態様で前記開状態に変換する特別遊技を実行し、当該特別遊技の実行により該変動入賞装置３へ受け入れられた遊技球が該特別入賞領域３２ｂへ入賞した場合には該特別遊技を所定の上限数の範囲内で繰り返して実行するようにした遊技機である。
【００７８】
また、以上のようにこの例のパチンコ遊技機１００は、変動入賞装置３が、凹室３２の下部に前記可動部材３３２，３３２の開状態への変換により受け入れられた遊技球が転動する転動部（前床板３３８、床板部材３３ｃ）を配設する一方、凹室３２の上部に特別入賞領域３２ｂを配設し、転動部の遊技球を特別入賞領域３２ｂに揚送可能な揚送手段（揚送装置８）を備え、揚送手段は、左右方向に設定された回転軸を中心に回転可能に構成され、転動部の遊技球を吸着する吸着手段（磁石８３）を有すると共に、該吸着した遊技球を回転動作により前記特別入賞領域３２ｂに揚送可能な第１の回転ドラム８１と、左右方向に設定された回転軸を中心に回転可能に構成され、表面に所定の表示を付すと共に、第１の回転ドラム８１の外面所要範囲を覆う状態で、第１の回転ドラム８１の外側に配設された第２の回転ドラム８２とを備え、第１の回転ドラム８１の吸着手段により第２の回転ドラム８２の表面上で遊技球を吸着可能に構成すると共に、第１の回転ドラム８１と第２の回転ドラム８２とを異なる回転態様で回転可能に構成し、第２の回転ドラム８１の表面上で遊技球が吸着された状態のまま、第２の回転ドラム８２を第１の回転ドラム８１と異なる回転態様で回転させながら当該遊技球を揚送可能に構成ししている。
【００７９】
また、揚送手段（揚送装置８）は、一方端側が開放した円筒形に形成された第２の回転ドラム８２（円筒体８２ａ）の内部に、前記吸着手段としての磁石８３を外周面に配設した第１の回転ドラム８１を挿入すると共に、当該揚送手段の左右各々に前記第１及び第２の回転ドラム８１，８２を回転させる電気的駆動源（第１のモータ８１１，第２のモータ８２１）を配設することで、当該第１の回転ドラム及び第２の回転ドラムを独立して回転可能に構成されている。
【００８０】
なお、変動入賞装置３に入賞した遊技球は、カウントセンサにより検知され、さらに、特別入賞領域３２ｂに入賞した遊技球は、特別入賞センサ３８により検知されるようになっており、パチンコ遊技機の遊技を制御する制御手段である遊技制御装置（図示略）により、カウントセンサの検知信号に基づいて、変動入賞装置３への遊技球の入賞数をカウントしたり、変動入賞装置３への入賞に伴う遊技球（賞球）の払い出しを指示する制御信号を賞球の払い出しを制御する排出制御装置（図示略）に送信する。また、遊技制御装置は、特別入賞センサ３８の検知信号により、特別遊技状態とする制御を行ったり、特別遊技状態中において、特別遊技状態を繰り返し継続する制御を行ったりする。
【００８１】
また、上述の補助遊技も遊技制御装置により行われる。すなわち、遊技制御装置は、第１始動入賞口センサ４ａ、第２始動入賞口センサ５ａ、入賞口センサ，カウントセンサ、特別入賞センサ３８…センサからの入力に基づいて、可動部材用ソレノイド３３２ａ，３３２ａ、誘導部材用ソレノイド３９３，３９３、第１のモータ８１１、第２のモータ８２１、排出制御装置等を制御することにより遊技を行う。なお、パチンコ遊技機１００には、遊技球を射出する射出装置を制御する射出制御装置を備える。また、遊技制御装置は、装飾用の各種ランプ、ＬＥＤ等の電気的発光部材や、音声出力装置等を制御すると共に、ディスプレイ等を備えて、ディスプレイ上で変動表示ゲーム等を行うような構成となっている場合に、ディスプレイの表示制御を行う。また、以上のような電気的発光部材や音声出力装置やディスプレイの表示等を遊技制御装置（メイン制御手段）の制御下で制御する演出制御装置（サブ制御手段）を備えても良い。
【００８２】
以上のようなパチンコ遊技機１００の遊技における動作を説明する。
揚送装置８の第１の回転ドラム８１及び第２の回転ドラム８２の回転速度は高低２段階で制御され、補助遊技中でも特別遊技中でもない通常時は、第１の回転ドラム８１は、その前側が下から上へ高速回転し、第２の回転ドラム８２はその前側が上から下へ高速回転している。
そして、第１始動入賞口４に入賞すると可動部材が０．５秒で１回開放し、第２始動入賞口５に入賞すると可動部材が０．８秒で２回開放する始動遊技（補助遊技）が開始する。始動遊技が開始（始動入賞した時点）されると、床板部材３３ｃが作動して、床（転動部）を形成し、上述のように内部に流入した遊技球は一旦転動部で転動する。
なお、床板部材３３ｃの作動は所定時間（例えば、２秒）経過で非作動となり非作動となると床板部材３３ｃが開状態となるように回転して下部一般入賞領域３２ｃが開放される。従って、それまでに磁石８３に吸着されなかった遊技球は下部一般入賞領域３２ｃに落下することとなる。
【００８３】
一方、始動遊技が開始されると、第１の回転ドラム８１は、高速回転から低速回転へ変換すると共に、第２の回転ドラム８２も高速回転から低速回転へ変換する。特別入賞領域３２ｂの入賞有効期間（可動部材３３２，３３２が閉鎖してから３．５秒：この期間までを始動遊技とする）が終了するまで低速回転を維持する。なお、第１及び第２の回転ドラム８１，８２の回転方向はどの状態でも変化はないが、状態によって変化させても良い。
【００８４】
また、始動遊技が開始されると、凹室３２上部の誘導部材３９，３９が、０．５秒の間隔で作動非作動（誘導状態と非誘導状態）とを繰り返すように動作する。
従って、磁石８３に吸着された遊技球が作動中の誘導部材３９，３９に影響されると、中央側に誘導されることとなる。なお、揚送装置８の左右の中央の第１の磁石８３ａに吸着した場合は、誘導部材３９，３９の作動状態に関係なく、確実に特別入賞領域３２ｂに入賞することとなる。また、中間となる第２の磁石８３ｂ，８３ｂに吸着した遊技球は誘導部材３９，３９に誘導されない限り特別入賞領域３２ｂへは入賞しないが、誘導部材３９，３９に誘導された場合は高い確率（３／５程度）で特別入賞領域３２ｂに誘導される。揚送装置８の左右の端の第３の磁石８３ｃ，８３ｃに吸着した遊技球は誘導部材３９，３９に誘導されない限り特別入賞領域へは入賞しないが、誘導部材３９，３９に誘導された場合は特別入賞領域３２ｂに誘導されることもあるがその確率は低くなっている（１／１０程度）。
【００８５】
特別遊技状態中は、特別遊技開始時からの前半動作として第１の回転ドラム８１及び第２の回転ドラム８２は停止する。従って、流入した複数の遊技球は転動部（床板部材３３ｃ上）で待機することとなる。なお、床板部材３３ｃは、特別遊技状態中は常に作動して閉状態となっている。
カウントセンサの検知に基づく入賞カウントが５個となるか、若しくは、１０回可動部材３３２，３３２が開閉するかした場合には特別遊技状態中の後半動作の開始となり、第１の回転ドラム８１が低速で回転を開始する。一方、第２の回転ドラム８２は後半動作が開始されても回転せずに、少しでも吸着の邪魔をしないようになっている。すなわち、第２の回転ドラム８２が回転した場合に、停止している場合に比較して転動部上の遊技球を磁石８３が吸着しずらい状態となる。従って、第２の回転ドラム８２を停止しておくことにより、磁石８３に遊技球が吸着されやすくなり、特別入賞領域３２ｂに遊技球が入賞する可能性が高まる。そして、特別入賞領域３２ｂに入賞することにより、特別遊技が継続されるので、特別遊技の継続率が高まることになる。
【００８６】
後半動作開始時には、転動部に５個の遊技球が貯留される可能性が極めて高く、また、転動部は５個の遊技球が左右方向に並んで貯留される構造となっているので、第１の回転ドラム８１が回転を開始した場合に、その中央の第１の磁石８３ａに遊技球が吸着される可能性がかなり高く、次のラウンド（特別遊技）に高い確率で継続することとなる。
なお、第１の回転ドラム８１は、特別遊技中の後半動作開始時に回転を始めた後に、最初に第１の磁石８３ａが（第３の磁石８３ｃとともに）転動部上の遊技球を吸着する位置を通過するようになっている。すなわち、高い確率で転動部（床板部材３３ｃ）上に左右に遊技球が５個ならんだ状態（この状態で、中央となる遊技球は、第１の磁石８３ａとほぼ同じ左右位置となっている）で、最初に第１の磁石８３ａが通過すると、高い確率で第１の磁石８３ａに吸着される位置に遊技球が存在し、高い確率で第１の磁石８３ａが遊技球を吸着することになる。このような動作をするために、特別遊技の前半動作として、第１の回転ドラム８１が停止する際に、第２の磁石８３ｂが転動部上の遊技球を吸着可能な位置を通過した後で、かつ、第１の磁石８３ａが転動部上の遊技球を吸着可能な位置を通過する前となる規定位置で第１の回転ドラム８１を停止するようになっている。
なお、この例では、特別遊技状態が発生した場合に、ラウンド継続回数を選択する機能を備えていないが、例えば、変動入賞装置３に表示装置（ディスプレイ）を備え、特別遊技状態の発生時に表示装置で「１」、「７」、「１５」の図柄を決定するような変動表示ゲームを行い、停止表示された図柄でラウンド継続回数を決定するようにしても良い。この場合、決定されたラウンドまでは上述の動作を行い、当該ラウンドに達した場合には、ラウンド遊技開始時点から各回転ドラム８１，８２の回転を開始（この場合始動遊技時と同様の動作）する。但し誘導部材３９，３９の動作は行わない。従って、決定されたラウンド以降では継続率がかなり低下することとなるが、中央の第１の磁石８３ａに遊技球が吸着すれば次のラウンドに継続する可能性はある。
【００８７】
そして、特別遊技中に揚送装置８に揚送された遊技球が特別入賞領域３２ｂに入賞した場合は、可動部材３３２，３３２が１８回動作する前や変動入賞装置３に遊技球が１０個入賞する前であっても、次ぎのラウンド（特別遊技）に移行し、上述した規定位置で第１の回転ドラム８１が停止して、上述の動作が繰り返されることになる。そして、例えば、特別遊技が１５ラウンド行われるか、もしくは、その前に特別遊技（１ラウンド）中に特別入賞領域３２ｂに遊技球が入賞しなかった場合に、特別遊技状態が終了し、通常遊技状態となる。
【００８８】
以上のようなパチンコ遊技機１００によれば、遊技球を揚送する回転ドラムを、遊技球を吸着する第１の回転ドラム８１と、第１の回転ドラム８１の外側に配置された第２の回転ドラム８２との２重構造にし、かつ、第１の回転ドラム８１の吸着手段（磁石８３）が第２の回転ドラム８２を介して遊技球を吸着可能として、第２の回転ドラム８２の表面上で遊技球が吸着された状態のまま、当該第２の回転ドラム８２を該第１の回転ドラム８１と異なる回転態様で回転させながら当該遊技球を揚送可能に構成したので、揚送される遊技球と、外側の第２の回転ドラム８２の回転により変化する表面の表示とにより従来にない興趣性の高い揚送態様を実現できる。
【００８９】
すなわち、見かけ上遊技球を吸着している回転ドラム（第２の回転ドラム８２）が、遊技球とは異なる動き、すなわち、遊技球の移動方向と逆方向に動いたり、同方向でも回転速度が異なるように動いたりすることになり、このような回転ドラムと遊技球の奇異な動きにより、極めて興趣の高い動作を見せることができる。また、遊技球を吸着して、遊技球の移動速度に対応する第１の回転ドラム８１の回転速度に対して、表示を有する第２の回転ドラム８２の回転速度を遅くしたり、さらに回転方向を逆にしたりすることで、上から下に移動する遊技球に対して、第２の回転ドラム８２の表示を移動する遊技球が通り過ぎていく背景とすることができる。例えば、第２の回転ドラム８２に、遊技球の路とその周囲の情景を描いた場合に、遊技球が道を通過している状態を表現することができ、第１の回転ドラム８１に吸着されて第２の回転ドラム８２の表面上を周方向に移動する遊技球と、第２の回転ドラム８２の表面上の表示とにより興趣性の高い表現を行うことができる。
【００９０】
また、吸着手段を有する第１の回転ドラム８１の外側を第２の回転ドラム８２が覆うと共に、第１の回転ドラム８１と第２の回転ドラム８２とが異なる回転態様で回転することから、遊技者は、直接吸着手段（磁石８３）を見ることができないとともに、第２の回転ドラム８２の表面上の表示に対する第１の回転ドラム８１の吸着手段（磁石８３）の位置が変化することから、第２の回転ドラム８２の表面上の表示から吸着手段の位置を推測することもできない。従って、可動部材３３２，３３２が開状態となって変動入賞装置の凹室３２に遊技球が流入した際に、第１の回転ドラム８１の吸着手段が流入した遊技球を吸着する回転位相となっているか否かを遊技者が予想することができず、遊技者は変動入賞装置に流入した遊技球に対して常に期待感を持つことができる。
【００９１】
また、第２の回転ドラム８２を一方端側が開放した有底筒状（もしくは有蓋筒状）とし、第２の回転ドラム８２の開放端側から第１の回転ドラム８１を挿入した状態とし、例えば、第２の回転ドラム８２の開放端側に第１の回転ドラム８１を回転させる電気的駆動源（第１のモータ８１１）を配置して、第１の回転ドラム８１に接続し、第２の回転ドラム８２の閉塞端側に第２の回転ドラム８２を回転させる電気的駆動源（第２のモータ８２１）を配置することで、互いに異なる回転態様で回転可能な回転ドラムの２重構造を効率よく確実に実現することができる。そして、二つの電気的駆動源によりそれぞれ第１の回転ドラム８１と第２の回転ドラム８２とを個々に独立して回転させることで、各回転ドラム８１，８２を各々独立して確実に異なる回転態様で回転可能とすることができる。
【００９２】
また、上述のような構成の場合に、第１の回転ドラム８１と第２の回転ドラム８２とがそれぞれ電気的駆動源に接続された側の端部だけが支持される片支持の状態となると考えられるが、例えば、第１の回転ドラム８１の電気的駆動源に接続される側とは反対の端部を、第２の回転ドラム８２の電気的駆動源に接続された端部もしくは第２の回転ドラム８２を回転させる電気的駆動源の回転軸に回転可能に軸受や回転可能なジョイント（スイベル、ロータリー、ユニバーサル等）等により接続し、第２の回転ドラム８２の電気的駆動源に接続される側とは反対の端部を、第１の回転ドラム８１の電気的駆動源に接続された端部もしくは第１の回転ドラム８１を回転させる電気的駆動源の回転軸に回転可能に軸受や回転可能なジョイント等により接続することで、両支持の状態として、安定した状態に第１及び第２の回転ドラム８１，８２を回転させることができる。
【００９３】
次ぎに、本発明の第２の実施形態について説明する。第２の実施形態のパチンコ遊技機１００は、第２の回転ドラム８２に障害突起８２５，８２６（突起部）を設けた以外は、第１の実施形態と同様の構成を有するものである。
図１１に示すように、第２の実施形態のパチンコ遊技機１００の第２の回転ドラム８２の円筒体８２ａ上に第１の障害突起８２５（突起部）と、第２の障害突起８２６，８２６（突起部）とが設けられている。
【００９４】
第１の障害突起８２５は、第２の回転ドラム８２（円筒体８２ａ）の外周面の軸方向に沿った左右の中央となる位置に形成されている。また、第１の障害突起８２５は、第１の回転ドラム８１の第１の磁石８３ａの位置に対応する第２の回転ドラム８２の位置に形成されており、第１の磁石８３ａに吸着された遊技球が第２の回転ドラム８２の外周上を移動した際の移動軌跡上に第１の障害突起８２５が形成されている。従って、第１の回転ドラム８１の第１の磁石８３ａに吸着された遊技球が、第２の回転ドラム８２の外周上を移動している際に、第２の回転ドラム８２の第１の障害突起８２５に接触する可能性がある。そして、第１の磁石８３ａに吸着された遊技球が第１の障害突起８２５に接触すると、第１の磁石８３ａとともに移動する遊技球の移動が遮られ、第１の磁石８３ａだけが移動してしまい、第１の磁石８３ａから遊技球が引き剥がされる状態となる。すなわち、第１の障害突起８２５は、吸着された遊技球の吸着状態を解除可能となっている。
【００９５】
そして、第１の磁石８３ａから引き剥がされた遊技球は、例えば、第２の回転ドラム８２の外周面上から転動部となる前床板３３８、床板部材３３ｃ上に落ちることになる。なお、遊技球が第２の回転ドラム８２の上端となる部分を越えていた場合には、転動部の反対側となる球離脱板３３９上に流下する可能性もある。
始動遊技中に遊技球が引き剥がされて転動部上に流下した場合には、第１の回転ドラム８１の磁石８３に吸着される前に、転動部となる床板部材３３ｃが動作して開状態となり、下部一般入賞領域３２ｃに遊技球が落下してしまう可能性が高く、特別入賞領域３２ｂへの入賞の可能性がなくなってしまう。
【００９６】
第２の障害突起８２６，８２６は、第２の回転ドラム８２（円筒体８２ａ）の外周面の軸方向に沿った左右の中央となる位置より左右の外側にそれぞれ形成されている。また、第２の障害突起８２６，８２６は、第１の回転ドラム８１の第２の磁石８３ｂ，８３ｂの位置に対応する第２の回転ドラム８２の位置に形成されており、第２の磁石８３ｂ，８３ｂに吸着された遊技球が第２の回転ドラム８２の外周上を移動した際の移動軌跡上に第２の障害突起８２６，８２６が形成されている。従って、第１の回転ドラム８１の第２の磁石８３ｂ，８３ｂに吸着された遊技球が、第２の回転ドラム８２の外周上を移動している際に、第２の回転ドラム８２の第２の障害突起８２６，８２６に接触する可能性がある。そして、第２の磁石８３ｂ，８３ｂに吸着された遊技球が第２の障害突起８２６，８２６に接触すると、第２の磁石８３ｂ，８３ｂとともに移動する遊技球の移動が遮られ、上述の場合と同様に、第２の磁石８３ｂ，８３ｂから遊技球が引き剥がされる状態となる。すなわち、第２の障害突起８２６，８２６は、吸着された遊技球の吸着状態を解除可能となっている。そして、剥がされた遊技球は、例えば、転動部上に落ちることになる。
なお、第２の磁石８３ｂ，８３ｂに吸着された遊技球が第２の障害突起８２６，８２６に接触する前に、誘導部材３９，３９に誘導されれば、その後に、第２の磁石８３ｂ，８３ｂと第２の障害突起８２６，８２６とが重なるような配置となっても、既に、遊技球は、第２の障害突起８２６，８２６より中央側に移動しているので、第２の障害突起８２６，８２６に妨げられることなく、特別入賞領域３２ｂに入賞する可能性がある。
【００９７】
また、この例において、第１の障害突起８２５と、第２の障害突起８２６，８２６とは、第２の回転ドラム８２の外周面上で回転方向（円周方向）に１８０度ずれた位置に配置されているが、１８０度以外の角度でずれた状態に配置されていても良いし、第２の回転ドラム８２の軸方向に沿って一直線に並んで配置されていても良い。また、二つの第２の障害突起８２６，８２６は、第２の回転ドラム８２の軸方向に沿って左右に並んで配置された状態としているが、これらが回転方向にずれていても良い。
【００９８】
以上のような第２の実施形態のパチンコ遊技機１００は、第２の回転ドラム８２の表面に、吸着された遊技球の吸着状態を解除可能な突起部（第１の障害突起８２６，８２６）を形成したものである。
このようなパチンコ遊技機１００によれば、第１の回転ドラム８１に吸着された遊技球が、下から上の所定位置に揚送される間に、第２の回転ドラム８２の表面に形成された突起部（第１の障害突起８２５、第２の障害突起８２６，８２６）により吸着を解除されて落とされる可能性がある。
従来は、回転ドラムが１重であったため、遊技球が吸着さえすれば、揚送される構成であったため、遊技者の興味は遊技球が吸着されるか否かの１点に集中してしまい興趣を持続することができないが、本発明では吸着されても遊技球が落とされる可能性があり、遊技内容が多彩化するし、吸着された後も一定の緊張感を出すことができ、しかも遊技球が落とされる分、吸着率を高めることができるので興趣を向上させることができる。
なお、特別入賞領域３２ｂへの入賞確率を突起部がない場合と同じとするためには、突起部により遊技球を特別入賞領域３２ｂへ揚送できる確率が減少した分を補うために、遊技球が第１の回転ドラム８１に吸着される確率（吸着率）を増加させる必要があり、上述のように遊技球が落とされる分だけ吸着率を高めることになる。従って、吸着された遊技球が落とされることにより遊技者が落胆するとしても、遊技球が落とされるかもしれないという緊張感と、より多くの遊技球が回転ドラムに吸着することによる期待感の向上とから、遊技者の興趣を高めることができる。
【００９９】
また、吸着された遊技球を落とすために第２の回転ドラム８２とは別に、第２の回転ドラム８２から独立した状態の障害部材（例えば、第２の回転ドラム８２の横から障害物を突き出す等）を設けることも考えられるが、このようにした場合、変動入賞装置３の構造が複雑化したり大型化したりしてしまうといった問題点があったが、第２の回転ドラム８２に突起部を設けるだけで、上記機能を実現できる。
また、第２の回転ドラム８２の表面に描かれた絵等の表示と突起部を関連づけることができるので、例えば、表面に描かれた道に沿って遊技球が揚送されている途中で石を模した突起部に進路を邪魔されて遊技球が下に落ちてしまうといった、揚送態様の一部に吸着の解除機能を何ら違和感なく含ませることができ、興趣性を高められる。これは、回転ドラムを２重にしたことによる特異な効果である。
【０１００】
次ぎに、本発明の第３の実施形態について説明する。第３の実施形態のパチンコ遊技機１００は、第１の回転ドラム８１に第１〜第３の磁石８３ａ〜８３ｃに代えて、吸着手段である磁石８３として、吸着された遊技球が吸着された状態で第１の回転ドラム８１の左右方向に移動可能に左右に延設された第４の磁石８３ｄを有するものとし、第２の回転ドラム８２に第４の磁石８３ｄに吸着された遊技球を左右方向に移動させることが可能な位置移動突起８２７，８２８（位置移動突起部）を設けたこと以外は、第１の実施形態と同様の構成を有するものである。
【０１０１】
図１２に示すように、第３の実施形態のパチンコ遊技機１００の第１の回転ドラム８１には、第１の実施形態と同様に、第１の回転ドラム８１の円筒体８１ａの全長に渡って左右に延在する溝部８１８，８１９（図８、図９参照）が形成されている。そして、溝部８１８，８１９には、溝部８１８，８１９に対応して左右に長尺な第４の磁石８３ｄ，８３ｄが取り付けられている。
第４の磁石８３ｄ，８３ｄは、例えば、第１実施形態の左右の第２の磁石８３ｂ，８３ｂとをつないだ長さと配置もしくは、第１実施形態の左右の第３の磁石８３ｃ，８３ｃとをつないだ長さと配置となっており、第４の磁石８３ｄの中央に吸着した遊技球は、特別入賞領域３２ｂに入賞し、遊技球の吸着位置が第４の磁石８３ｄの中央から離れれば離れるほど、特別入賞領域３２ｂへの入賞率が下がるようになっている。
【０１０２】
また、第２の回転ドラム８２の円筒体８２ａ上に第１の位置移動突起８２７，８２７（位置移動突起部）と、第２の位置移動突起８２８，８２８（位置移動突起部）とが設けられている。
第１の位置移動突起８２７，８２７は、第２の回転ドラム８２（円筒体８２ａ）の外周面に間に遊技球１個分より僅か広い間隔を開けて左右に二つ形成されると共に、第１の位置移動突起８２７，８２７が第２の回転ドラム８２の前面側に配置された状態で、下から上に向かうにつれて第２の回転ドラム８２の中央に寄るように斜めに形成されている。すなわち、左の第１の位置移動突起８２７は、下端部から上端部に向かうにつれて左（外側）から右（中央側）に斜めに配置され、右の第１の位置移動突起８２７は、下端部から上端部に向かうにつれて右（外側）から左（中央側）に斜めに配置されている。また、これら左右の第１の位置移動突起３２７，３２７の間の位置が、第１の実施形態の第１の磁石８３ａの位置に対応しており、第４の磁石８３ｄに吸着された遊技球が、第２の回転ドラム８２の外周面の左右の第１の位置移動突起３２７，３２７の間を通過した場合に、特別入賞領域３２ｂに入賞するようになっている。
【０１０３】
また、第１の回転ドラム８１の第４の磁石８３ｄに吸着された遊技球が、第４の磁石８３ｄの中央より左右にある状態で、第２の回転ドラム８２の外周上を移動している際に、第２の回転ドラム８２の第１の位置移動突起８２７，８２７に接触する可能性がある。そして、第４の磁石８３ｄに吸着された遊技球が第１の位置移動突起８２７，８２７に接触すると、斜めに配置された第１の位置移動突起８２７，８２７の傾斜に沿って、第１の回転ドラム８１の第４の磁石８３ｄに吸着された遊技球が左右に延在する第４の磁石８３ｄに吸着された状態で、中央側に移動させられることになる。そして、位置を移動させられた遊技球は、左右の第１の位置移動突起８２７，８２７の間を通過し、特別入賞領域３２ｂに入賞することになる。
【０１０４】
すなわち、第１の位置移動突起８２７，８２７は、第４の磁石８３ｄに吸着された遊技球を特別入賞領域３２ｂに誘導するようになっており、第４の磁石８３ｄに吸着された遊技球が揚送中に第１の位置移動突起８２７，８２７に接触すれば、特別入賞領域３２ｄに入賞させられることになる。なお、第１の位置移動突起８２７，８２７は、遊技球を特別入賞領域３２ｄに確実に誘導するものでなくても良く、例えば、左右の第１の位置移動突起８２７，８２７の間隔を広くして、遊技球が特別入賞領域３２ｄに入賞する確率を高めるものであっても良い。なお、第１の実施形態で説明したように、特別入賞領域３２ｂと上部一般入賞領域３２ａ，３２ａとは、凹室３２の上部において、左右方向に隣設されており、第１の回転ドラム８１に吸着された遊技球の左右位置により、特別入賞領域３２ｂと上部一般入賞領域３２ａ，３２ａとの入賞確率が異なるようになっている。
【０１０５】
第２の位置移動突起８２８，８２８は、第２の回転ドラム８２（円筒体８２ａ）の外周面に、間に遊技球１個分より僅か広い間隔を開けて左右に二つ形成されると共に、第２の位置移動突起８２８，８２８が第２の回転ドラム８２の前面側に配置された状態で、下から上に向かうにつれて第２の回転ドラム８２の左右の中央から離れるように斜めに形成されている。すなわち、左の第２の位置移動突起８２８は、下端部から上端部に向かうにつれて右（中央側）から左（外側）に斜めに配置され、右の第２の位置移動突起８２８は、下端部から上端部に向かうにつれて左（中央側）から右（外側）に斜めに配置されている。また、これら左右の第２の位置移動突起３２８，３２８の間の位置が、第１の実施形態の第１の磁石８３ａの位置に対応しており、第４の磁石８３ｄに吸着された遊技球が、第２の回転ドラム８２の外周面の左右の第２の位置移動突起３２８，３２８の間を通過した場合に、特別入賞領域３２ｂに入賞するようになっている。
【０１０６】
また、第１の回転ドラム８１の第４の磁石８３ｄに吸着された遊技球が、第４の磁石８３ｄの中央より左右にある状態で、第２の回転ドラム８２の外周上を移動している際に、第２の回転ドラム８２の第２の位置移動突起８２８，８２８に接触する可能性がある。そして、第４の磁石８３ｄに吸着された遊技球が第２の位置移動突起８２８，８２８に接触すると、斜めに配置された第２の位置移動突起８２８，８２８の傾斜に沿って、第１の回転ドラム８１の第４の磁石８３ｄに吸着された遊技球が左右に延在する第４の磁石８３ｄに吸着された状態で、中央側から外側に移動させられることになる。そして、位置を移動させられた遊技球は、左右の第２の位置移動突起８２８，８２８のうちの一方の外側を通過し、誘導部材３９，３９に誘導されない限り、上部一般入賞領域３２ａ，３２ａに入賞し、誘導部材３９，３９に誘導されても、低い確率でしか特別入賞領域３２ｂに入賞しないようになっている。
【０１０７】
すなわち、第２の位置移動突起８２８，８２８は、第４の磁石８３ｄに吸着された遊技球を上部一般入賞領域３２ａに誘導するようになっている。なお、第４の磁石８３ｄの中央、すなわち、第２の位置移動突起８２８，８２８の間を通過可能な位置に吸着された遊技球は、第２の位置移動突起８２８，８２８に接触せずに、特別入賞領域３２ｂに入賞もしくは高い確率で入賞するようになっている。
【０１０８】
以上のような第３の実施形態のパチンコ遊技機１００において、凹室３２の上部には、前記特別入賞領域３２ｂと一般入賞領域３２ａ，３２ａが左右方向に隣設されており、第１の回転ドラム８１の吸着手段（第４の磁石８３ｄ）を、左右方向に延設することで、吸着されている遊技球が左右方向に移動可能に構成し、第２の回転ドラム８２の表面に、吸着されている遊技球の左右方向の位置を移動可能な位置移動突起部（第１の位置移動突起８２７，８２７、第２の位置移動突起８２８，８２８）を形成している。
【０１０９】
従って、第１の回転ドラム８１に左右に移動可能（吸着した状態で移動可能）に吸着した遊技球が、第２の回転ドラム８２の表面の位置移動突起部（第１の位置移動突起８２７，８２７、第２の位置移動突起８２８，８２８）に接触した場合に、遊技球の左右位置が変わることになり、左右方向に隣設して配置された特別入賞領域３２ｂと一般入賞領域３２ａ，３２ａとのうちの一般入賞領域３２ａ，３２ａに入賞可能な位置に吸着していた遊技球が、揚送過程において、位置移動突起部に接触することで、特別入賞領域３２ｂに入賞可能な位置に移動するように構成することが可能である。また、逆に、特別入賞領域３２ｂに入賞可能な位置に吸着していた遊技球が、揚送過程において、位置移動突起部に接触することで、一般入賞領域３２ａ，３２ａに入賞可能な位置に移動するように構成することが可能である。
【０１１０】
すなわち、従来は、遊技球が回転ドラムのどの磁石に吸着されるかでどの入賞領域に誘導されるかがある程度決まってしまっていたが、この発明では、第２の回転ドラム８２に形成された位置移動突起部により、中央から外れた位置に吸着された遊技球（すなわち、特別入賞領域３２ｂに誘導され難い遊技球）を中央（特別入賞領域３２ｂに入賞し易い位置）に誘導したり、逆に、中央近傍位置に吸着された遊技球を端側に移動したりできるので、遊技球が回転ドラムに吸着された後でも興趣の高い遊技を継続できる。
また、上記遊技球を移動する機能を備えることにより、その邪魔される遊技球分（特別入賞領域３２ｂに入賞しやすい位置から入賞し難い位置に誘導された遊技球分）、回転ドラムへの遊技球の吸着率を高めることができるので、遊技者の期待感を高めることができる。
また、遊技球の位置を移動させるために他の部材（第２の回転ドラム８２に対して独立した部材）を備える必要なく、変動入賞装置３の構造が複雑化したり大型化したりすることなく、第２の回転ドラム８２自体で上記効果を得ることができる。
第１及び第２の位置移動突起８２７，８２８は対向（１８０度）して設けられ、第４の磁石８３ｄも第１の回転ドラム８１に対向して２個設けられる。しかし、この配置以外の配置でも良い。
【０１１１】
次ぎに、本発明の第４の実施形態について説明する。第４の実施形態のパチンコ遊技機１００は、第２の回転ドラム８２に、第１の回転ドラム８１に取り付けられた吸着手段としての磁石８３の遊技球に作用する磁力を互いに異ならせた複数の領域として、ノーマルゾーン８２ｇとチャンスゾーン８２ｈとを設けた以外は、第１の実施形態と同様の構成を有するものである。
【０１１２】
図１３に示すように、第２の回転ドラム８２（円筒体８２ａ）には、第１の回転ドラム８２の磁石８３（第１〜第３の磁石８３ａ〜８３ｃ）の遊技球に作用する磁力を異ならせてノーマルゾーン８２ｇとチャンスゾーン８２ｈとが、例えば、図１３（Ａ）及び図１３（Ｂ）に示すように、円周方向に１８０度毎区切られた状態となっている。従って、第１の回転ドラム８２の半周分がノーマルゾーン８２ｇとされ、残りの半周分がチャンスゾーン８２ｈとされている。なお、図１３（Ｃ）及び図１３（Ｄ）に示すように、ノーマルゾーン８２ｇとチャンスゾーン８２ｈとが９０度毎に区切られて交互に配置されているものとしても良い。また、上述のように磁力を異ならせて領域を三種類以上としても良いし、１８０度、９０度以外の角度で区切るものとしても良い。また、ノーマルゾーン８２ｇとチャンスゾーン８２ｈとは、色や柄や絵により識別可能となっている。
【０１１３】
そして、この例においては、第２の回転ドラム８２のノーマルゾーン８２ｇにおける肉厚に対してチャンスゾーン８２ｈにおける肉厚が薄く形成されるとともに、ノーマルゾーン８２ｇの外周面の方が、チャンスゾーン８２ｈの外周面より中心からの距離が遠くなっており（チャンスゾーン８２ｈに対してノーマルゾーン８２ｇが凸となっている）、ノーマルゾーン８２ｇの外周面から第１の回転ドラム８１の磁石８３までの距離が、チャンスゾーン８２ｈの外周面から第１の回転ドラム８１の磁石８３までの距離より遠くなっている。これにより、第１の回転ドラム８１の磁石８３と遊技球との間に第２の回転ドラム８２のノーマルゾーン８２ｇが介在した場合には、チャンスゾーン８２ｈが介在した場合よりも遊技球に作用する磁力が弱められることになる。すなわち、ノーマルゾーン８２ｇは、遊技球に対する磁力を弱めて、遊技球に対する磁力が弱い領域となり、チャンスゾーン８２ｈは、遊技球に対する磁力をあまり弱めず、遊技球に対する磁力が強い領域となる。
【０１１４】
従って、転動部である床板部材３３ｃ上の遊技球を、第１の回転ドラム８１の磁石８３が吸着するタイミングとなった際に、第１の回転ドラム８１の磁石８３と遊技球との間にチャンスゾーン８２ｈが介在した場合には、ノーマルゾーン８２ｇが介在した場合よりも高い確率で、第１の回転ドラム８１の磁石８３に遊技球が吸着されることになる。
また、揚送装置８により遊技球を揚送している際に、第１の回転ドラム８１の磁石８３と遊技球との間にノーマルゾーン８２ｇが介在した状態となると、チャンスゾーン８２ｈが介在した場合よりも高い確率で遊技球が脱落することになる。
【０１１５】
これにより、転動部上に遊技球がある場合に、第２の回転ドラムの遊技球に臨む外周面がノーマルゾーン８２ｇとなるかチャンスゾーン８２ｈとなるかを興味を持って遊技者が見ることになり、興趣が高められることになる。また、転動部上に遊技球がある場合に、第２の回転ドラムの遊技球に臨む外周面がノーマルゾーン８２ｇとなっても、遊技球が第１の回転ドラム８１に吸着される可能性があるとともに、転動部上に遊技球がある場合に、第２の回転ドラムの遊技球に臨む外周面がチャンスゾーン８２ｈとなっても、第１の回転ドラム８１の磁石８３が遊技球に臨む位置となっていなければ、遊技球は吸着されないので、転動部上に遊技球がある場合に、第２の回転ドラムの遊技球に臨む外周面がノーマルゾーン８２ｇとなっても、遊技者の興味が完全になくなってしまうようなことがない。
なお、ノーマルゾーン８２ｇとチャンスゾーン８２ｈとの境は、テーパ形状となっていて、遊技球が第２の回転ドラム８２の表面上でノーマルゾーン８２ｇとチャンスゾーン８２ｈとの境を通過する際に、遊技球が全て脱落することを防止しているが、ノーマルゾーン８２ｇとチャンスゾーン８２ｈとの境をテーバ状ではなく段差として、遊技球が脱落し易いようにしても良い。
【０１１６】
なお、第２の回転ドラム８２に遊技球に作用する磁力が強い領域と弱い領域とを形成する際に、上述の肉厚の違いや、磁石からの距離の違いだけではなく、第２の回転ドラム８２の材質を領域毎に磁力を透過しやすいものと、透過し難いものとに異なるものとしても良い。また、第２の回転ドラム８２の形状や肉厚や材質等を変更せずに、例えば、第２の回転ドラム８２の磁力が弱くなる領域には、磁力を弱める遮蔽部材（シート）を貼付するものとしも良いし、第２の回転ドラム８２に磁石の磁束の流れを変更するヨークとして作用する部材を取り付けることにより、第２の回転ドラム８２上の遊技球に対して磁力が強く作用する領域と、磁力が弱く作用する領域とを形成するようにしても良い。
【０１１７】
このような第４の実施形態のパチンコ遊技機１００において、吸着手段は、磁石８３により構成され、第２の回転ドラム８２には、当該第２の回転ドラム８２外側の遊技球に対する磁力の強さを異ならせた複数の領域（ノーマルゾーン８２ｇ、チャンスゾーン８２ｈ）が形成されている。
従って、第２の回転ドラム８２の回転位置で、磁力が変化することとなり、遊技球の揚送態様を多彩にすることができ興趣が向上する。すなわち、可動部材３３２，３３２が開状態となって変動入賞装置３に遊技球が流入した場合に、第１の回転ドラム８１の回転位相だけではなく、第２の回転ドラム８２の回転位相によっても、遊技球が吸着されやすい時期と吸着されがたい時期とを発生させることができ、かつ、遊技球の揚送途中で、遊技球が脱落しやすい時期と脱落しずら時期とを発生させることができ、遊技球の揚送態様を多彩にすることができる。
【０１１８】
また、磁力の影響を、他の装置（回転ドラムとは別の独立した装置）等を備えることなく、第２の回転ドラム８２により確実に変化させることができる。さらに、例えば、第２の回転ドラム８２に描かれた絵等と磁力の変化を関連づけることができ、興趣が向上する。例えば、第２の回転ドラム８２の表面の表示を道路を示すものとし、遊技球に対して磁力が強く作用する領域は、オンロードを示す絵とし、遊技球に対して磁力が弱く作用する領域はオフロードを示す絵とするなどが挙げられる。
【０１１９】
本発明の遊技機は、以上のようなパチンコ遊技機１００に限られるものではなく、例えば、第１の実施形態では、第２の回転ドラム８２を第１の回転ドラム８１とは逆方向に回転させていたが、第２の回転ドラム８２を第１の回転ドラム８１と同方向で回転させるものとすると共に、第１の回転ドラム８１とは回転速度を異ならせて回転させても良い。
この場合、第２の回転ドラム８２の回転速度を第１の回転ドラム８１よりも遅くすれば、第１の実施形態と同様に、見かけ状遊技球が進む方向とは逆にドラム（第２の回転ドラム８２）が回転するようになるが、その速度（遊技球と第２の回転ドラム８２との相対速度）を非常にゆっくりにすることができる。
【０１２０】
一方、第２の回転ドラム８２の回転速度を第１の回転ドラム８１よりも速くすれば、遊技球の後方から第２の回転ドラム８２に表示された絵が追い越すように進んでくるようになり、これでも興趣が向上する。例えば、第２実施形態のような障害突起８２５，８２６を設けた場合には、遊技球と障害突起８２５，８２６とが追いかけっこをしている状態となるので、非常に興趣が向上する。すなわち、遊技者は、遊技球が障害突起８２５，８２６に追い越されて脱落する前に、誘導部材３９，３９の位置に達したり、特別入賞領域３２ｂに入賞が確定する位置に達するかどうかをスリルを持って見ることができ、興趣が向上する。
【０１２１】
また、第２の回転ドラム８２と遊技球との回転方向を切り替え（第２の回転ドラム８２の回転方向を切り替え）たり、回転速度を切り替え（第１の回転ドラム８１と第２の回転ドラム８２の相対速度を切り替え）たりしてもよい。
さらに、遊技球と第２の回転ドラム８２との回転方向や回転速度の違いにより、吸着率が変化するようにすれば、当該回転方向を変化させることにより遊技内容が多彩化する。なお、基本的には、第１の回転ドラム８１と第２の回転ドラム８２との回転方向が異なるより同じ方が遊技球の吸着率が高くなり、第１の回転ドラム８１と第２の回転ドラム８２との相対速度が低くなれば吸着率が高くなる。
【０１２２】
また、以下のような場合に、第１の回転ドラム８１と第２の回転ドラム８２との回転方向や回転速度を変更することで遊技球の吸着率を変化させることで遊技内容を多彩化することができる。
例えば、第１始動入賞口４，４に入賞した場合の始動遊技と、第２始動入賞口５に入賞した場合の始動遊技とで、遊技球の吸着率を変化させる。また、上述の大当り中の前半動作と後半動作とで遊技球の吸着率を変化させる。また、大当り中のラウンド毎に遊技球の吸着率を変化させる。また、大当り終了後の所定期間（所定回数の始動遊技が行われるまで等）だけ遊技球の吸着率を変化させるなどである。
【０１２３】
また、本発明は、前記実施の形態のパチンコ遊技機に限られるものではなく、例えば、その他のパチンコ遊技機、アレンジボール遊技機、雀球遊技機などの遊技機にも適用可能である。
さらに、今回開示された実施の形態はすべての点で例示であって制限的なものではないと考えられるべきである。本発明の範囲は前記した説明ではなくて特許請求の範囲によって示され、特許請求の範囲と均等の意味および範囲内でのすべての変更が含まれることが意図される。
【図面の簡単な説明】
【０１２４】
【図１】本発明の第１の実施形態の遊技機として例示するパチンコ遊技機の遊技盤を示す正面図である。
【図２】前記遊技盤に備えられた変動入賞装置を示す正面図である。
【図３】前記遊技盤に備えられた変動入賞装置を示す斜視図である。
【図４】前記遊技盤に備えられた変動入賞装置を示す斜視図である。
【図５】前記遊技盤に備えられた変動入賞装置を示す断面図を含む図面である。
【図６】前記変動入賞装置に備えられた揚送装置を示す斜視図である。
【図７】前記変動入賞装置に備えられた揚送装置を示す斜視図である。
【図８】前記変動入賞装置に備えられた揚送装置を示す分解斜視図である。
【図９】前記変動入賞装置に備えられた揚送装置を示す分解斜視図である。
【図１０】前記揚送装置の動作を説明するための図面である。
【図１１】本発明の第２の実施形態の前記揚送装置を説明するための図面である。
【図１２】本発明の第３の実施形態の前記揚送装置を説明するための図面である。
【図１３】本発明の第４の実施形態の前記揚送装置を説明するための図面である。
【符号の説明】
【０１２５】
１００    パチンコ遊技機（遊技機）
３        変動入賞装置
３２      凹室
３２ａ    一般入賞領域
３２ｂ    特別入賞領域
３３ｃ    床板部材（転動部）
３３２    可動部材
３３８    前床板（転動部）
８        揚送装置（揚送手段）
８１      第１の回転ドラム
８１１    第１のモータ（電気的駆動源）
８２      第２の回転ドラム
８２ｇ    ノーマルゾーン（領域）
８２ｈ    チャンスゾーン（領域）
８２１    第２のモータ（電気的駆動源）
８２５    第１の障害突起（突起部）
８２６    第２の障害突起（突起部）
８２７    第１の位置移動突起（位置移動突起部）
８２８    第２の位置移動突起（位置移動突起部）
８３      磁石（吸着手段）
８３ａ    第１の磁石（吸着手段）
８３ｂ    第２の磁石（吸着手段）
８３ｃ    第３の磁石（吸着手段）
８３ｄ    第４の磁石（吸着手段）
【図１】
2005087262.tif 000003
【図２】
2005087262.tif 000004
【図３】
2005087262.tif 000005
【図４】
2005087262.tif 000006
【図５】
2005087262.tif 000007
【図６】
2005087262.tif 000008
【図７】
2005087262.tif 000009
【図８】
2005087262.tif 000010
【図９】
2005087262.tif 000011
【図１０】
2005087262.tif 000012
【図１１】
2005087262.tif 000013
【図１２】
2005087262.tif 000014
【図１３】
2005087262.tif 000015